(57)【要約】  複数の記録層が積層された記録媒体において、データの信頼性が要求される管理データを記録媒体の表面から遠い記録層に記録し、データ本体を表面に近い記録層に記録することにより、記録媒体の表面に指紋や傷などの欠陥がある場合であっても、データファイルを読み出すことが可能となる。
2010095393.tif 000002
【特許請求の範囲】
【請求項１】
基板上に積層される複数の記録層により記録領域が形成される記録媒体に、管理データとデータ本体とから構成されるファイルデータを書き込む際に、
前記記録領域をデータ本体記録領域と前記データ本体記録領域より前記基板に近い領域に割り当てられる管理データ記録領域とに任意の割合で２分割し、
前記管理データ記録領域に前記管理データを書き込み、
前記データ本体記録領域に前記データ本体を書き込む
ことを特徴とするファイルシステム管理方法。
【請求項２】
前記データ本体記録領域の記録容量が前記管理データ記録領域の記録容量と同じであることを特徴とする請求項１記載のファイルシステム管理方法。
【請求項３】
前記記録層が偶数層であり、前記データ本体記録領域と前記管理データ記録領域との境界が前記記録層の端部であることを特徴とする請求項２記載のファイルシステム管理方法。
【請求項４】
前記記録層が奇数層であり、前記データ本体記録領域と前記管理データ記録領域との境界が前記記録層の中間点に設けられることを特徴とする請求項２記載のファイルシステム管理方法。
【請求項５】
前記記録層のスパイラル方向を考慮して、前記データ本体記録領域の記録開始位置を前記スパイラル方向の上流側に設定することを特徴とする請求項２記載のファイルシステム管理方法。
【請求項６】
前記記録層のスパイラル方向を考慮して、前記スパイラル方向の上流側に前記管理データ記録領域を割り当てることを特徴とする請求項４記載のファイルシステム管理方法。
【請求項７】
前記データ本体記録領域に書き込む領域が不足し、前記管理データ記録領域に空き領域が残っている場合に、
既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することを特徴とする請求項１記載のファイルシステム管理方法。
【請求項８】
前記データ本体記録領域に書き込む領域が不足し、前記管理データ記録領域に空き領域が残っている場合に、
既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することを特徴とする請求項２記載のファイルシステム管理方法。
【請求項９】
前記データ本体記録領域に書き込む領域が不足し、前記管理データ記録領域に空き領域が残っている場合に、
既に書き込まれた前記データ本体のデータ量に対する標準偏差を求め、偏差値５０に最も近い前記データ本体のデータ量を選択してデータ本体の基準となるデータ量とし、
既に書き込まれた前記管理データのデータ量に対する標準偏差を求め、偏差値５０に最も近い前記管理データのデータ量を選択して管理データの基準となるデータ量とし、
前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することを特徴とする請求項１記載のファイルシステム管理方法。
【請求項１０】
前記データ本体記録領域に書き込む領域が不足し、前記管理データ記録領域に空き領域が残っている場合に、
既に書き込まれた前記データ本体のデータ量に対する標準偏差を求め、偏差値５０に最も近い前記データ本体のデータ量を選択してデータ本体の基準となるデータ量とし、
既に書き込まれた前記管理データのデータ量に対する標準偏差を求め、偏差値５０に最も近い前記管理データのデータ量を選択して管理データの基準となるデータ量とし、
前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することを特徴とする請求項２記載のファイルシステム管理方法。
【請求項１１】
前記空き領域用データ本体記録領域と前記管理データ記録領域との境界を、前記データ量の比に応じて分割した境界に対して書き込み方向に隣接する前記記録層の端部に設けることを特徴とする請求項８記載のファイルシステム管理方法。
【請求項１２】
前記ファイルデータがＵＤＦファイルシステムで管理されており、前記管理データがＦｉｌｅ  Ｅｎｔｒｙであり、前記データ本体がＦｉｌｅ  Ｂｏｄｙであることを特徴とする請求項２記載のファイルシステム管理方法。
【請求項１３】
前記記録媒体が光ディスクであることを特徴とする請求項２記載のファイルシステム管理方法。
【請求項１４】
管理データとデータ本体とから構成されるファイルデータが記録され、基板上に積層される複数の記録層により記録領域が形成される記録媒体であって、
前記記録領域がデータ本体記録領域と前記データ本体記録領域より前記基板に近い領域に割り当てられる管理データ記録領域とに任意の割合で２分割され、
前記管理データ記録領域に前記管理データが記録され、
前記データ本体記録領域に前記データ本体が記録される
ことを特徴とする記録媒体。
【請求項１５】
前記データ本体記録領域の記録容量と前記管理データ記録領域の記録容量とが同じであることを特徴とする請求項１４記載の記録媒体。
【請求項１６】
前記データ本体記録領域全体に前記データ本体が記録され、前記管理データ記録領域の前記管理データが記録された領域以外の空き領域が、空き領域用データ本体記録領域と空き領域用管理データ記録領域にさらに分割されることを特徴とする請求項１４記載の記録媒体。
【請求項１７】
前記データ本体記録領域全体に前記データ本体が記録され、前記管理データ記録領域の前記管理データが記録された領域以外の空き領域が、空き領域用データ本体記録領域と空き領域用管理データ記録領域にさらに分割されることを特徴とする請求項１５記載の記録媒体。
【発明の詳細な説明】
【技術分野】
【０００１】
本発明は、記録領域が積層された記録媒体に記録されるデータのファイルシステム管理方法と、それを用いた記録媒体に関する。
【背景技術】
【０００２】
ＣＤからＤＶＤ、さらにはＢｌｕ−ｒａｙと光ディスクの記録容量が増加するに伴い、そのファイルシステムも世代交代を重ねてきた。すなわち、ＩＳＯ９６６０に代わるファイルシステムとして、ＯＳＴＡ（Ｏｐｔｉｃａｌ  Ｓｔｏｒａｇｅ  Ｔｅｃｈｎｏｌｏｇｙ  Ａｓｓｏｃｉａｔｉｏｎ）によりＵＤＦ（Ｕｎｉｖｅｒｓａｌ  Ｄｉｓｋ  Ｆｏｒｍａｔ）が策定され、ＩＳＯ／ＩＥＣとＥｃｍａ  Ｉｎｔｅｒｎａｔｉｏｎａｌによってそれぞれ規格化された（例えば、非特許文献１から２を参照）。その後改訂を重ね、ＢＤ−ＲＥ（Ｖｅｒ．２．０／２．１／３．０）とＢＤ−ＲＯＭ（Ｖｅｒ．１．０）ではＵＤＦ２．５０が採用され、ＢＤ−Ｒ（Ｖｅｒ１．０）ではＵＤＦ２．６０が採用されている（例えば、非特許文献３から５を参照）。【０００３】
このように情報が記録された光ディスクは、一般にはベアディスクで取り扱われており、光ディスクの製造時あるいは使用中にディスク表面に汚れや損傷などの欠陥が生じやすい。そして、欠陥が生じ、ファイルシステムの管理情報が正しく読めなくなると、記録されたファイルの再生動作自体ができなくなる。逆に、ファイル本体の読み出しに欠落等があったとしても、管理情報さえ正しく読み出すことができればファイルの再生動作は実行される。そのため、ファイル本体の異常に関わりなくファイルが読み出せるように、ＵＤＦはファイルシステムの階層構造やファイル本体の記録領域を管理する管理情報が記録されるファイルシステム管理領域を２ヶ所に記録し、管理構造を２重化することにより、一方の管理領域の読み出しに不具合があったとしても他方の管理領域を読み出すことによって再生動作の確保を行っている（例えば、特許文献１を参照）。【０００４】
また、さらに外部要因による衝撃によって生じる損傷や指紋の付着に対して、再生動作を確保するために、重要なファイルシステム管理領域は内周と外周でなく、指紋や傷の損傷を受けにくい内周と中周に配置するという技術が知られている（例えば、特許文献２を参照）。
【先行技術文献】
【特許文献】
【０００５】
【特許文献１】特開２００２−２７９７０９号公報
【特許文献２】特開２００７−１９３９００号公報
【非特許文献】
【０００６】
【非特許文献１】ＩＳＯ／ＩＥＣ  １３３４６
【非特許文献２】ＥＣＭＡ−１６７
【非特許文献３】ブルーレイディスク規格書  ＢＤ−ＲＥ  Ｖｅｒ．２．０／２．１／３．０
【非特許文献４】ブルーレイディスク規格書  ＢＤ−ＲＯＭ  Ｖｅｒ．１．０
【非特許文献５】ブルーレイディスク規格書  ＢＤ−Ｒ  Ｖｅｒ１．０
【発明の概要】
【発明が解決しようとする課題】
【０００７】
図２はＢｌｕ−ｒａｙディスクの光ピックアップの様子を示す図であり、４層の記録層をもつＢｌｕ−ｒａｙディスクの断面図、図１０は従来のファイルシステム管理方法に基づき記録された２層ディスクのデータ構造を例示する図である。例えば、アクリル樹脂またはポリカーボネート樹脂で作製された基板１０２の表面に、Ｌ０層からＬ３層の記録層が順に形成されており、最外層のＬ３層の表面には光透過層１０３が形成されている。このＢｌｕ−ｒａｙディスクを記録再生するための光ピックアップの対物レンズ２０１のＮＡ（Ｎｕｍｅｒｉｃａｌ  Ａｐｅｒｔｕｒｅ  開口数）は、０．８５と極めて大きいなものが使用される。【０００８】
このようにＮＡの大きな光ピックアップを使用するので、次の問題が生じる。すなわち、図２に示すように、Ｂｌｕ−ｒａｙディスク表面についた傷や指紋（欠陥）があると、光ビームが遮断，反射，回折等されて十分な光量が記録層に到達することができない。そして、表面に近い層にアクセスする場合ほど、表面での光ビームスポット径に対する欠陥の占める比率が大きくなる。そのため、特許文献２のように、管理情報や重要なデータを内周、中周に配置している場合であっても、表面に近い層においてはこれらの欠陥の影響でディスクに記録されたＲＦ信号が欠落してしまう。さらには、サーボも不安定となるため、表面に近い層にあるファイルが読み出せなくなる。【０００９】
ＵＤＦによるデータ構造は、管理データであるＦｉｌｅ  Ｅｎｔｒｙと、データ本体であるＦｉｌｅ  Ｂｏｄｙとからなり、管理データとデータ本体とはペアを構成し、ファイルを構成する単位となる。通常、これらのデータは、図１０に示すように、ペアごとに最内層であるＬ０層から表面に近い層に順に記録されている。【００１０】
これらのファイルを再生するときには、ＵＤＦのファイルシステムでは、まず、管理データであるＦｉｌｅ  Ｅｎｔｒｙのみを読み出し、そのデータの整合性やデータ本体であるＦｉｌｅ  Ｂｏｄｙの位置を確認した後、データ本体であるＦｉｌｅ  Ｂｏｄｙの読み出しを行う。ここで、Ｆｉｌｅ  Ｂｏｄｙは、音楽や映像，テキストといったデータ本体であり、データ全体の内の一部に欠陥があってもノイズや文字化け等が生じるのみでデータの使用に支障がないことが多く、読み出し後データを修復することが可能な場合もある。これに対して、Ｆｉｌｅ  Ｅｎｔｒｙは管理データであり全てのデータｂｉｔに厳格な意味を有し、データ中の１つのｂｉｔに欠陥があっても対応するＦｉｌｅ  Ｂｏｄｙを読み出すことができない。【００１１】
ところが、Ｂｌｕ−ｒａｙディスク表面の欠陥の影響は表面に近い層ほど大きいので、表面に近い層に管理データが書き込まれた場合には、管理データが欠陥により欠落する可能性が大きくなる。もし、この管理データが欠陥により読めなくなると、ひとつのファイルを構成するペアが再生できなくなるので、ファイル本体が読めなくなるという課題を有していた。【００１２】
本発明のファイルシステム管理方法および記録媒体は、上記課題を解決するものであり、多層記録された光ディスク等の記録媒体において、ディスク表面に付着した指紋や傷などにより、ディスク表面に欠陥がある場合であっても、データファイルを読み出すことを可能とすることを目的とする。
【課題を解決するための手段】
【００１３】
本発明のファイルシステム管理方法は、基板上に積層される複数の記録層により記録領域が形成される記録媒体に、管理データとデータ本体とから構成されるファイルデータを書き込む際に、前記記録領域をデータ本体記録領域と前記データ本体記録領域より前記基板に近い領域に割り当てられる管理データ記録領域とに任意の割合で２分割し、前記管理データ記録領域に前記管理データを書き込み、前記データ本体記録領域に前記データ本体を書き込むことを特徴とする。【００１４】
また、前記データ本体記録領域の記録容量が前記管理データ記録領域の記録容量と同じであっても良い。【００１５】
また、前記記録層が偶数層であり、前記データ本体記録領域と前記管理データ記録領域との境界が前記記録層の端部であっても良い。【００１６】
また、前記記録層が奇数層であり、前記データ本体記録領域と前記管理データ記録領域との境界が前記記録層の中間点に設けられても良い。【００１７】
また、前記記録層のスパイラル方向を考慮して、前記データ本体記録領域の記録開始位置を前記スパイラル方向の上流側に設定することが好ましい。【００１８】
また、前記記録層のスパイラル方向を考慮して、前記スパイラル方向の上流側に前記管理データ記録領域を割り当てることが好ましい。【００１９】
また、前記データ本体記録領域に書き込む領域が不足し、前記管理データ記録領域に空き領域が残っている場合に、既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することが好ましい。【００２０】
また、前記データ本体記録領域に書き込む領域が不足し、前記管理データ記録領域に空き領域が残っている場合に、既に書き込まれた前記データ本体のデータ量に対する標準偏差を求め、偏差値５０に最も近い前記データ本体のデータ量を選択してデータ本体の基準となるデータ量とし、既に書き込まれた前記管理データのデータ量に対する標準偏差を求め、偏差値５０に最も近い前記管理データのデータ量を選択して管理データの基準となるデータ量とし、前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することが好ましい。【００２１】
また、前記空き領域用データ本体記録領域と前記管理データ記録領域との境界を、前記データ量の比に応じて分割した境界に対して書き込み方向に隣接する前記記録層の端部に設けても良い。【００２２】
また、前記ファイルデータがＵＤＦファイルシステムで管理されており、前記管理データがＦｉｌｅ  Ｅｎｔｒｙであり、前記データ本体がＦｉｌｅ  Ｂｏｄｙであっても良い。【００２３】
また、前記記録媒体が光ディスクであっても良い。【００２４】
さらに、本発明の記録媒体は、管理データとデータ本体とから構成されるファイルデータが記録され、基板上に積層される複数の記録層により記録領域が形成される記録媒体であって、前記記録領域がデータ本体記録領域と前記データ本体記録領域より前記基板に近い領域に割り当てられる管理データ記録領域とに任意の割合で２分割され、前記管理データ記録領域に前記管理データが記録され、前記データ本体記録領域に前記データ本体が記録されることを特徴とする。【００２５】
また、前記データ本体記録領域の記録容量と前記管理データ記録領域の記録容量とが同じであっても良い。【００２６】
また、前記データ本体記録領域全体に前記データ本体が記録され、前記管理データ記録領域の前記管理データが記録された領域以外の空き領域が、空き領域用データ本体記録領域と空き領域用管理データ記録領域にさらに分割されても良い。【００２７】
以上により、多層記録された光ディスク等の記録媒体において、ディスク表面に指紋や傷などの欠陥がある場合であっても、データファイルが読を出すことを可能とすることができる。
【発明の効果】
【００２８】
以上のように、複数の記録層が積層された記録媒体において、データの信頼性が要求される管理データを記録媒体の表面から遠い記録層に記録し、データ本体を表面に近い記録層に記録することにより、記録媒体の表面に指紋や傷などの欠陥がある場合であっても、データファイルを読み出すことが可能となる。
【図面の簡単な説明】
【００２９】
【図１】本発明で取り扱う２層、３層及び４層Ｂｌｕ−ｒａｙディスクの記録トラックのスパイラル方向を示す図
【図２】Ｂｌｕ−ｒａｙディスクの光ピックアップの様子を示す図
【図３】実施の形態１のファイルシステム管理方法に基づき記録された４層ディスクのデータ構造を例示する図
【図４】実施の形態２のファイルシステム管理方法に基づき記録された３層ディスクのデータ構造を例示する図
【図５】実施の形態３のファイルシステムの管理方法によるデータ構造図
【図６】実施の形態３のファイルシステムの管理方法によるディスクの記録状態を示す平面模式図
【図７】実施の形態３における空き領域の分割方法を説明するためのデータ構造図
【図８】実施の形態３を説明するためのデータ分布を示すテーブル及び分布図
【図９】実施の形態４のファイルシステムの管理方法によるデータ構造を例示する図
【図１０】従来のファイルシステム管理方法に基づき記録された２層ディスクのデータ構造を例示する図
【発明を実施するための形態】
【００３０】
本発明の実施の形態を説明する前に、さらに詳しく、ディスク表面に生じた傷や塵、指紋などの欠陥の影響について説明する。
【００３１】
図２は、４層ディスクにおけるＬ０層、Ｌ２層、Ｌ３層に光ビームがフォーカスした場合の光ピックアップからの光ビームが欠陥によって損なわれる領域の相対的な大きさの概念図である
図２より明らかなように、光ビームのフォーカスが位置する記録層の深さによって光ディスク表面における光ビームの直径は変化する。例えば、光ディスク表面に近い記録層（Ｌ２層、Ｌ３層）に光ビームがフォーカスしている場合は、ディスク表面を通過する光ビームの断面積は小さくなり、より遠い記録層（Ｌ０）に光ビームがフォーカスしている場合には光ビームの断面積は大きくなる。そのため、光ディスク表面に近い記録層（Ｌ２層、Ｌ３層）に光ビームがフォーカスしている場合は、より遠い記録層（Ｌ０）に光ビームがフォーカスしている場合に比べて、ディスク表面に生じた同じ欠陥５９ａによって光ビームの断面が遮られる面積の割合が大きくなり、光ディスク表面通過する光ビームの断面が相対的に小さくなる。したがって、光ディスク表面において光ビームの断面サイズに対する傷や塵の面積が占める割合は、光ビームがフォーカスしている記録層が光ディスク表面に近いほど大きくなり、データの記録再生にエラーが生じやすくなる。
【００３２】
以上の説明からわかるように、光ディスク表面に形成される傷や塵による悪影響は、光ディスク表面に近い記録層に光ビームがフォーカスしている場合に大きくなるが、光ディスク表面から離れた記録層にフォーカスしている場合には小さくなる。
【００３３】
そのため、本発明のファイルシステム管理方法およびそれを用いてデータを記録した記録媒体の特徴は、表面の欠陥の影響を受け難い表面から離れた記録層に管理データを記録する領域を設けることである。それにより、記録媒体の表面に指紋や傷などの欠陥がある場合であっても、データファイルを読み出すことが可能となる。
【００３４】
なお、光ディスク表面における光ビームの断面よりも大きな表面欠陥２１０が形成されている場合もあり得る。このように極めて大きな表面欠陥２１０を光ビームが横切るときは、光ビームがいずれの記録層にフォーカスしている場合でも、反射光量の低下が顕著となり、データの記録再生にエラーが発生してしまう。しかしながら、そのように大きな傷や塵が光ディスク表面に存在している場合は、目視によっても容易に欠陥を発見できるため、このような光ディスク自体を欠陥品として処理することが可能である。
【００３５】
以下、本発明のファイルシステム管理方法およびその方法を用いてファイルデータを書き込んだ記録媒体の各実施の形態について、主にファイルシステム管理方法によって説明する。
（実施の形態１）
以下、本発明によるファイルシステム管理方法によって制御された４層の光ディスクを例にあげて、実施の形態１を説明する。
【００３６】
図３は実施の形態１のファイルシステム管理方法に基づき記録された４層ディスクのデータ構造を例示する図であり、本実施の形態におけるデータの記録配列を示す構成図である。Ｆｉｌｅ  Ｅｎｔｒｙは管理データであるため、データサイズほぼ一定であり、Ｆｉｌｅ  Ｂｏｄｙはデータの内容によってデータサイズが異なり、Ｆｉｌｅ  Ｅｎｔｒｙと同等またはそれ以上の大きさであるのが一般的である。この場合、Ｆｉｌｅ  ＥｎｔｒｙとＦｉｌｅ  Ｂｏｄｙとのデータ量等によりそれぞれの記録領域の大きさを任意に定めて、光ディスクの表面から遠いＦｉｌｅ  Ｅｎｔｒｙの記録領域と表面に近いＦｉｌｅ  Ｂｏｄｙの記録領域の境界を決定する。ただし、データサイズが小さいときは、Ｆｉｌｅ  ＥｎｔｒｙとＦｉｌｅ  Ｂｏｄｙとの大きさがほぼ等しくなる。例えば、データサイズが２０４８ｂｙｔｅ程度の場合は、Ｆｉｌｅ  ＥｎｔｒｙとＦｉｌｅ  Ｂｏｄｙとのサイズはほぼ等しくなる。このような場合には、Ｆｉｌｅ  Ｅｎｔｒｙを記録する領域とＦｉｌｅ  Ｂｏｄｙを記録する領域の記録容量を、それぞれディスク全体の容量の１／２とし、Ｆｉｌｅ  Ｅｎｔｒｙを記録する領域を最内層側に配置することができる。
【００３７】
本実施の形態においては、光ディスクの表面から遠いＦｉｌｅ  Ｅｎｔｒｙの記録領域と表面に近いＦｉｌｅ  Ｂｏｄｙの記録領域の境界を、ディスク全体の容量が１／２となる位置に設ける場合を例に説明する。
【００３８】
この場合、Ｆｉｌｅ  Ｂｏｄｙを記録する開始点をディスク全体の容量Ｎの１／２となる位置Ｎ／２（Ｃ点）とする。Ｆｉｌｅ  Ｅｎｔｒｙは表面から最内層であるＬ０層の内周から順次記録を行っていく。Ｆｉｌｅ  Ｂｏｄｙは、Ｆｉｌｅ  Ｅｎｔｒｙを記録した後、２層ディスクであればＮ／２に相当するＬ１層の最外周から最内周へ順次記録を行う。４層ディスクであればＮ／２に相当するＬ２層の最内周から最外周へ順次記録を進め、Ｌ２層が一杯になった後、表面側に隣接する記録層Ｌ３へ移動してスパイラル方向を考慮して連続的に記録を行う。８層ディスクであればＮ／２に相当するＬ４層の最内周から最外周へ順次記録を進め、Ｌ４層が一杯になった後、表面側に隣接する記録層Ｌ５層へ移動して記録を行う。
【００３９】
ここでは、隣接する記録層のスパイラル方向が互いに逆方向となる光ディスクの場合を例に説明したため、基板から奇数層は最内周から記録を初め、偶数層は最外周から記録を始めたが、全ての記録層のスパイラル方向が同じ場合には、全層最内周または最外周から記録を開始する。以下、各実施の形態の説明でも同様とする。
【００４０】
具体的に４層ディスクにおいては、例えば図３に示すようにＬ０層の先頭である最内周位置からＦｉｌｅ  Ｅｎｔｒｙ１を記録しベリファイした後、光ビームをＬ２層に移動してＬ２層の先頭である最内周付近に移動して、Ｆｉｌｅ  Ｅｎｔｒｙ１に対応するＦｉｌｅ  Ｂｏｄｙ１を記録する。次にＦｉｌｅ  Ｅｎｔｒｙ２をＦｉｌｅ  Ｅｎｔｒｙ１が記録された次のブロックに記録しベリファイ後、同様に光ビームをＬ２層の先頭である内周付近に移動して、Ｆｉｌｅ  Ｅｎｔｒｙ２に対応するＦｉｌｅ  Ｂｏｄｙ２をＦｉｌｅ  Ｂｏｄｙ１に続くブロックに記録する。Ｌ１層がＦｉｌｅ  Ｂｏｄｙでいっぱいとなり、記録領域がなくなった場合は、次に隣接するＬ３層にＦｉｌｅ  Ｂｏｄｙｎを記録していく。こうして順次記録する層を表面側に移動しながらデータを記録していく。このデータ記録の際に、キャッシュメモリを活用して複数のＦｉｌｅ  Ｅｎｔｒｙをまとめて連続的に記録すれば光ディスクの記録時間を増加させることなく、本実施の形態におけるファイルシステム管理を行うことができる。
【００４１】
なお、本実施の形態１においては、４層ディスクで説明したが、２層以上の４層、６層や１６層ディスクといった偶数層ディスクで適用される。
【００４２】
このように、ファイルシステム管理方法およびそれを用いてデータを記録した記録媒体においては、偶数層で構成される光ディスクを光ディスクの表層から見た内層側と外層側に２分し、内層側にＦｉｌｅ  Ｅｎｔｒｙ等の管理データを、外層側にＦｉｌｅ  Ｂｏｄｙ等のデータ本体を書き込むことにより、外層側に隣接する光ディスク表面に傷や塵等の欠陥が存在する場合であっても、表面の欠陥により管理データの読み出しに欠落が生じる可能性を低減することができ、光ディスクに記録されたデータを読み出すことが可能となる。
（実施の形態２）
本発明によるファイルシステム管理方法によって制御された３層の光ディスクを例にあげて、記録層を奇数層備える光ディスクにおいてＦｉｌｅ  Ｅｎｔｒｙの記録領域とＦｉｌｅ  Ｂｏｄｙの記録領域を１／２に分割する実施の形態２について、図１，図４を用いて説明する。
【００４３】
図１は本発明で取り扱う２層、３層及び４層Ｂｌｕ−ｒａｙディスクの記録トラックのスパイラル方向を示す図である。図４は実施の形態２のファイルシステム管理方法に基づき記録された３層ディスクのデータ構造を例示する図であり、本実施の形態におけるデータの記録状態を示す構成図である。実施の形態１と同様に、まずＦｉｌｅ  ＥｎｔｒｙとＦｉｌｅ  Ｂｏｄｙとを記録する領域を分割確保する。
【００４４】
図４に示すように、Ｆｉｌｅ  Ｂｏｄｙの記録の開始層は、ディスク全体の容量Ｎの１／２となる、半径位置Ｃ点が存在する中間の層Ｌ１である。そして、Ｌ１層はＬ０層と記録トラックのスパイラル方向が互いに逆となっている。よって、そのＬ１層の中間位置のＣ点から最内周までと、その中間の層Ｌ１に対して表面側に隣接した記録層Ｌ２が、Ｆｉｌｅ  Ｂｏｄｙの記録領域となり、表面から最も離間しているＬ０層とＬ０層に隣接したＬ１層の最外周から中間層Ｃ点までが、Ｆｉｌｅ  Ｅｎｔｒｙの記録領域となる。
【００４５】
具体的には、例えば、まず、Ｌ０層の先頭である最内周の位置からＦｉｌｅ  Ｅｎｔｒｙ１を記録しベリファイした後、光ビームを隣接したＬ１層に移動してＬ１層のＣ点から内周方向に向かってＦｉｌｅ  Ｅｎｔｒｙ１に対応するＦｉｌｅ  Ｂｏｄｙ１を記録する。次に、Ｌ０層に戻ってＦｉｌｅ  Ｅｎｔｒｙ２をＦｉｌｅ  Ｅｎｔｒｙ１が記録された次のブロックに記録しベリファイした後、同様に光ビームをＬ１層の先頭である内周付近に移動し、Ｆｉｌｅ  Ｅｎｔｒｙ２に対応するＦｉｌｅ  Ｂｏｄｙ２をＦｉｌｅ  Ｂｏｄｙ１に続くブロックに記録する。Ｌ１層のＣ点から内周側がＦｉｌｅ  Ｂｏｄｙでいっぱいになった場合には、次に隣接するＬ２層にＦｉｌｅ  Ｂｏｄｙｎを記録していく。こうして順次記録する層を表面側に移動しながらデータの記録を行う。ここでＬ１層の最内周に到達する手前の近傍位置でＦｉｌｅ  Ｂｏｄｙの記録が開始される場合にはＦｉｌｅ  Ｅｎｔｒｙの記録を完了した時点で、Ｆｉｌｅ  Ｂｏｄｙのサイズをファイルシステムは認識しているので、Ｌ１層でＦｉｌｅ  Ｂｏｄｙｎを記録する領域が不足しているかどうかを判断し、不足していれば隣接のＬ２層に移動して、そこの内周位置からＦｉｌｅ  Ｂｏｄｙの記録を開始することができる。なお、実施の形態１と同様に、データ記録の際には、キャッシュメモリを活用して複数のＦｉｌｅ  Ｅｎｔｒｙを連続して記録すれば光ディスクの記録時間を増加させることなく、本実施の形態におけるシステムファイル管理を行うことができる。
【００４６】
ここでは、アクセス方向が隣接する記録層毎に互いに逆になるスパイラルを有する光ディスクを例に説明したため、Ｌ１層におけるＦｉｌｅ  Ｂｏｄｙの記録領域がＣ点から内周向きに形成されたが、スパイラル方向が一定に形成された光ディスクでは、前述のようにＦｉｌｅ  Ｂｏｄｙの記録領域がＣ点から外周向きに形成される。
【００４７】
なお、ここでは３層ディスクを用いて説明したが、実施の形態２においては、３層以上の５層、７層や１５層ディスクといった奇数層ディスクで適用される。
【００４８】
ここで、複数の記録層を持つディスクにおいて、隣接する記録層の記録トラックのスパイラル方向について説明する。図１（ａ），（ｂ）及び（ｃ）は、それぞれ、２層、３層及び４層の記録層を備えるディスクにおける記録トラックのスパイラル方向を示す図である。図１から明らかなように、隣接する各記録層は互いに逆方向のスパイラル構造を備えており、基板から奇数番目の層は内周から外周へのスパイラル、偶数番目の層は外周から内周のスパイラルとなっている。すなわち４層ディスクを例にとればＬ０層のスパイラル方向は内周から外周へ進行し、Ｌ１層のスパイラル方向は外周から内周へ逆行し、Ｌ２層のスパイラル方向は内周から外周へ再度進行し、Ｌ３層のスパイラル方向は外周から内周に戻っている。
【００４９】
このように、先に述べたようにＢｌｕ−ｒａｙディスクは隣接層同士が逆スパイラルとなっている。そのため、４層、８層といった偶数層ディスクでも４の倍数ディスクの場合には、容量Ｎの１／２となる層のスパイラル方向は、Ｌ０層と同じ方向（内周から外周へ向けてのスパイラル方向）となり、Ｆｌｉｅ  Ｅｎｔｒｙと、Ｆｉｌｅ  Ｂｏｄｙとはいずれも内周から記録を開始する。そのため、光ピックアップの移動距離が短くなるので、ファイル全体のアクセス性も向上する。
【００５０】
一方、４の倍数でない６層、１０層ディスクにおいては、容量Ｎの１／２となる層からＦｉｌｅ  Ｂｏｄｙの記録を開始せず、その表面側の隣接層（６層であればＬ４層、１０層であればＬ６層）にＦｉｌｅ  Ｂｏｄｙを記録する方が良い。これは、その層（６層であればＬ４層、１０層であればＬ６層）のスパイラル方向がＬ０層と同じ方向だからである。従って、この層の最内周をＦｉｌｅ  Ｂｏｄｙを記録する開始位置とし、表面に向かって順次層を移動しながら記録し、表面に最も近い最終層まで使用したら、容量Ｎの１／２となる層に戻って、その層を使用するように構成すれば、ファイルのアクセス性を向上することができる。
【００５１】
なお５層ディスクや９層ディスクにおいては、上記中間の層であるＬ２層やＬ４層はＬ０層と同じスパイラル方向（内周から外周）であるため、Ｆｉｌｅ  Ｂｏｄｙの記録領域は、その層の最内周から中間の半径位置Ｃ点までと、その中間の層から表面側に積層された記録層となる。
【００５２】
実施の形態１における偶数層ディスクも、実施の形態２における奇数層ディスクも容量Ｎが１／２となる位置が存在する中間の層から、Ｆｉｌｅ  Ｂｏｄｙの記録を開始し、その中間の層のＦｉｌｅ  Ｂｏｄｙを記録する領域が一杯となった場合にその中間の層から表面側に向かって、隣接する層へと移動していき、次のＦｉｌｅ  Ｂｏｄｙの記録を開始する構成としている。
【００５３】
よって中間層あるいはそれに隣接する記録層からＦｉｌｅ  Ｂｏｄｙの記録を開始することとなり、これは１６層や２０層ディスクとなったとき、Ｆｉｌｅ  Ｅｎｔｒｙが最も表面から離間した層で、Ｂｏｄｙが最も表面に近い層となって物理的に最も離れた配置になるのを抑制し、アクセス性の劣化を防止することができる。
【００５４】
実施の形態１および実施の形態２では、Ｆｌｉｅ  Ｅｎｔｒｙを記録する領域とＦｉｌｅ  Ｂｏｄｙを記録する領域とを１対１の割合で分割する場合を例に説明したが、分割の割合は任意に設定可能である。この場合は、境界がＮ／２となるＣ点に限られず、任意の記録層上の端部や任意の記録層上の位置になる以外は上記の説明と同様である。また、分割方法は、あらかじめ任意に設定した割合でＦｌｉｅ  Ｅｎｔｒｙを記録する領域とＦｉｌｅ  Ｂｏｄｙを記録する領域とを分割しても良いし、データの種類によるデータ量の平均的な割合等、いかなる分割方法を用いても同様に実現できる。
【００５５】
このように、ファイルシステム管理方法およびそれを用いてデータを記録した記録媒体においては、記録媒体の記録領域を、管理データを記録する領域とデータ本体を記録する領域とに１対１あるいは任意の割合で分割し、ピックアップ装置に隣接する面である表面から遠い領域に管理データを記録する領域を設定し、表面に近い領域にデータ本体を記録する領域を設定することにより、表面の欠陥による影響の小さい領域に高いアクセス信頼性が要求される管理データを優先的に記録することができるため、表面に欠陥があったとしてもデータのアクセスに失敗することを抑制することができる。
【００５６】
ここで、表面の欠陥は製造時の傷や汚れ等に限られず、使用中にも指紋等の付着により生じる。また、管理データはデータの書き込み時に限らず、フォルダの選択等によっても情報が書き換えられる。そのため、既に記録された管理データであっても、使用中に新たに生じた欠陥によって情報の記録状態が劣化する可能性もある。この場合であっても、管理データを表面の欠陥による影響が少ない表面から遠い領域に優先的に記録するため、管理データの記録状態の悪化を抑制することができる。
（実施の形態３）
次に、図５〜図８を用いて実施の形態３におけるファイルシステム管理方法について説明する。
【００５７】
図５は実施の形態３のファイルシステムの管理方法によるデータ構造図、図６は実施の形態３のファイルシステムの管理方法によるディスクの記録状態を示す平面模式図、図７は実施の形態３における空き領域の分割方法を説明するためのデータ構造図、図８は実施の形態３を説明するためのデータ分布を示すテーブル及び分布図である。
【００５８】
実施の形態３は、実施の形態１，実施の形態２でＦｉｌｅ  Ｂｏｄｙを記録する領域が不足した場合に、もともと予約していたＦｉｌｅ  Ｅｎｔｒｙの記録領域を割り当て、ディスク全体の記録効率を向上させるものである。特に全体の容量の少ない２層ディスクで有効となるため、２層ディスクを例に以下説明する。
【００５９】
図５に示すように、一般的に、Ｆｉｌｅ  Ｅｎｔｒｙ４は管理データであるため、データサイズはほぼ一定であり、Ｆｉｌｅ  Ｂｏｄｙ５はデータの内容によってデータサイズが異なり、Ｆｉｌｅ  Ｅｎｔｒｙ４と同等またはそれ以上の大きさである。そのため、Ｆｉｌｅ  Ｅｎｔｒｙを記録する領域とＦｉｌｅ  Ｂｏｄｙを記録する領域とを１対１で分割するファイルシステム管理方法を行った場合には、Ｌ０層に対してＬ１層の方が先に書き込み領域が不足することになる。
【００６０】
このように、Ｌ１層の書き込み領域がなくなったとしても、Ｌ０層の書き込み領域は十分に残っている場合がほとんどなので、Ｌ１層の書き込み領域がなくなった後の書き込み時には、Ｆｉｌｅ  Ｅｎｔｒｙ４はそのままＬ０層に書き込み、Ｆｉｌｅ  Ｂｏｄｙ５はＬ０層のＦｉｌｅ  Ｅｎｔｒｙ領域を確保した後ろの“空き領域”に順番に書くことが実施の形態３の特徴である。そして、Ｌ０層の空き領域がなくなるまでこの方法で書き込むことにより、実施の形態１，実施の形態３のファイルシステム管理方法を行った場合であっても、表面に欠陥があったとしてもデータのアクセスに失敗することを抑制すると共に、２層構造のブルーレイディスクの記録領域を無駄なく使用してデータを記録させることができる。
【００６１】
図６，図７に示すように、データを書き込む際には、まず、高いアクセス信頼性が要求される管理データのＦｉｌｅ  Ｅｎｔｒｙ４を表面の欠陥の影響が少ないＬ０層のみに記録する。そして、データの欠落がある程度許容されるデータ本体のＦｉｌｅ  Ｂｏｄｙを表面に近く、表面の欠陥の影響が大きいＬ１層に記録していく。そのまま、データを書き込み続けていくと、いずれ、Ｌ１層はＦｉｌｅ  Ｂｏｄｙでいっぱいになる。この時、Ｆｉｌｅ  ＥｎｔｒｙはＦｉｌｅ  Ｂｏｄｙよりデータ量が小さいため、図７（ａ）に示すように、Ｌ０層にはＳ［ｂｙｔｅ］の空き領域１５が残ることが想定される。
【００６２】
この空き領域１５を効率的に使用するために、空き領域１５をＦｉｌｅ  Ｅｎｔｒｙを記録するＮＥ領域１６とＦｉｌｅ  Ｂｏｄｙを記録するＮＢ領域１７とに振り分けることが本発明の空き領域管理方法の特徴であり、実施の形態３では、既に記録されているＦｉｌｅ  ＥｎｔｒｙとＦｉｌｅ  Ｂｏｄｙとのデータ量の割合に応じて空き領域１５をＮＥ領域１６とＮＢ領域１７とに振り分ける。
【００６３】
例えば、図７に示すように、ｎ個のデータを記録した状態で、Ｌ１層は合計Ｂ［ｂｙｔｅ］のｎ個のＦｉｌｅ  Ｂｏｄｙが記録され一杯となり、Ｌ０層には合計Ｅ［ｂｙｔｅ］のｎ個のＦｉｌｅ  Ｅｎｔｒｙが記録されて、さらに、Ｓ［ｂｙｔｅ］の空き領域１５が残っていたと仮定する。
【００６４】
Ｆｉｌｅ  ＥｎｔｒｙとＦｉｌｅ  ＢｏｄｙとはＥ：Ｂの割合で記録されているので、空き領域１５をＥ：Ｂの割合でＮＥ領域１６とＮＢ領域１７とに振り分ける。従って、ＮＥ領域１６を既にＦｉｌｅ  Ｅｎｔｒｙが記録された領域と連続してＳ×Ｅ／（Ｂ＋Ｅ）［ｂｙｔｅ］の領域に設定し、残りのＳ×Ｂ／（Ｂ＋Ｅ）［ｂｙｔｅ］の領域をＮＢ領域１７に設定する。
【００６５】
このように、既に記録されているＦｉｌｅ  ＥｎｔｒｙとＦｉｌｅ  Ｂｏｄｙとのデータ量の割合で空き領域１５を分割し、Ｆｉｌｅ  Ｅｎｔｒｙを記録するＮＥ領域１６とＦｉｌｅ  Ｂｏｄｙを記録するＮＢ領域１７とに振り分けることにより、表面に欠陥があったとしてもデータのアクセスに失敗することを抑制しながら、空き領域１５に無駄なくデータを記録することができ、記録容量に対して記録するデータ量が少なくなることを抑制することができる。
【００６６】
図８は実施の形態３における他の空き領域の分割方法を説明する図であり、図８（ａ）はＦｉｌｅ  Ｂｏｄｙのデータサイズ分布表、図８（ｂ）はＦｉｌｅ  Ｂｏｄｙのデータサイズ分布図、図８（ｃ）はＦｉｌｅ  Ｅｎｔｒｙのデータサイズ分布表、図８（ｄ）はＦｉｌｅ  Ｅｎｔｒｙのデータサイズ分布図、図８（ｅ）は空き領域における記録領域分割状態を示す図である。
【００６７】
本実施の形態のシステムファイル管理方法は、上述の図７（ａ）に示すような空き領域１５が残った場合、Ｆｉｌｅ  ＥｎｔｒｙとＦｉｌｅ  Ｂｏｄｙとのデータ量分布からそれぞれの標準偏差を求め、偏差値が５０に最も近いデータ量をＦｉｌｅ  Ｅｎｔｒｙの基準となるデータ量ＬＥ，Ｆｉｌｅ  Ｂｏｄｙの基準となるデータ量ＬＢとして選択し、空き領域１５をＬＥ：ＬＢの比率で分割することを特徴とする。
【００６８】
例えば、図８に示すように、Ｆｉｌｅ  Ｂｏｄｙについて、任意のデータ範囲内にあるデータの個数から分布表を作成し（図８（ａ））、分布表を基に標準偏差を求める。そして、偏差値が５０に最も近いデータ範囲を選択し、その中心値をＦｉｌｅ  Ｂｏｄｙの基準となるデータ量ＬＢとする。図８に示す例では偏差値が５０に最も近い５１２ｋ〜１Ｍ［ｂｙｔｅ］の範囲を選択し、その中心値である７６８ｋ［ｂｙｔｅ］をＬＢとする（図８（ｂ））。同様に、Ｆｉｌｅ  Ｅｎｔｒｙについて、任意のデータ範囲内にあるデータの個数から分布表を作成し（図８（ｃ））、分布表を基に標準偏差を求める。そして、偏差値が５０に最も近いデータ範囲を選択し、その中心値をＦｉｌｅ  Ｅｎｔｒｙの基準となるデータ量ＬＥとする。図８に示す例では偏差値が５０に最も近い７ｋ〜１１ｋ［ｂｙｔｅ］の範囲を選択し、その中心値である９ｋ［ｂｙｔｅ］をＬＥとする（図８（ｄ））。その後、既にＦｉｌｅ  Ｅｎｔｒｙが記録された領域と連続してＮＥ領域１８が振り分けられ、かつ、空き領域１５をＮＥ領域１８：ＮＢ領域１９がＬＥ：ＬＢとなるように分割する。図８に示す例では、空き領域１５がＮＥ領域１８：ＮＢ領域１９＝９：７６８となるように分割される。
【００６９】
このように、既に記録されているＦｉｌｅ  ＥｎｔｒｙとＦｉｌｅ  Ｂｏｄｙとのデータ量から求めた標準偏差の比率で空き領域１５を分割し、Ｆｉｌｅ  Ｅｎｔｒｙを記録するＮＥ領域１８とＦｉｌｅ  Ｂｏｄｙを記録するＮＢ領域１９とに振り分けることにより、表面に欠陥があったとしてもデータのアクセスに失敗することを抑制しながら、空き領域１５に無駄なくデータを記録することができ、記録容量に対して記録するデータ量が少なくなることを抑制することができる。
【００７０】
ここで、Ｆｉｌｅ  Ｅｎｔｒｙが一定のデータ量で記録されている場合には、標準偏差を求めることなく、その値をＬＥとして用いることもできる。
【００７１】
また、３層以上の記録領域を積層した構造のブルーレイディスクやその他の記録媒体の場合には、Ｆｉｌｅ  Ｂｏｄｙを記録する記録領域がなくなった時点での、Ｆｉｌｅ  Ｅｎｔｒｙが記録された記録領域の１層または複数層にまたがる空き領域を、上記の方法で空き領域５として振り分ける。そして、分割する割合や比率の算出には、１または複数の記録領域にまたがって記録されている全てのＦｉｌｅ  ＥｎｔｒｙあるいはＦｉｌｅ  Ｂｏｄｙを用いる。３層以上の具体的なＮＢ、ＮＥ領域の配置については、後の実施の形態４で説明する。
【００７２】
さらに別の空き領域管理方法について、図６および図８（ｅ）を参照して説明する。この方法はあらかじめ統計により求めた、既に書き込まれたＦｉｌｅ  Ｅｎｔｒｙの総データ量と残りのデータを書き込むのに必要なＮＥ領域１８とＮＢ領域１９との比率ＬＥ：ＬＢをテーブルに記録しておき、テーブルを基に既に書き込まれたＦｉｌｅ  Ｅｎｔｒｙの総データ量から求めたＮＥ領域１８とＮＢ領域１９との比率ＬＥ：ＬＢに応じて空き領域１５を分割することを特徴とする。
【００７３】
例えば、まず、既に書き込まれたＦｉｌｅ  Ｅｎｔｒｙの総データ量と、残りのデータを書き込むのに必要なＮＥ領域１８とＮＢ領域１９との比率ＬＥ：ＬＢを統計的に調べる。そして、その統計結果に応じて、Ｆｉｌｅ  Ｅｎｔｒｙ総データ量の一定の幅毎にＬＥ：ＬＢを記録したテーブルを作成する。
【００７４】
Ｆｉｌｅ  Ｂｏｄｙの書き込み領域がいっぱいになった時、まず、Ｆｉｌｅ  Ｅｎｔｒｙの総データ量を調べる。次に、テーブルを参照してＦｉｌｅ  Ｅｎｔｒｙの総データ量に対応するＬＥ：ＬＢを抽出し、この比率に応じて空き領域１５を分割する。
【００７５】
このように、ファイルシステム管理方法およびそれを用いてデータを記録した記録媒体においては、あらかじめ記録したテーブルに応じて既に記録されているＦｉｌｅ  Ｅｎｔｒｙの総データ量から求めた比率を用いて、Ｆｉｌｅ  Ｅｎｔｒｙを記録するＮＥ領域１８とＦｉｌｅ  Ｂｏｄｙを記録するＮＢ領域１９とに振り分けることにより、表面に欠陥があったとしてもデータのアクセスに失敗することを抑制しながら、空き領域１５に無駄なくデータを記録することができ、記録容量に対して記録するデータ量が少なくなることを抑制することができる。
（実施の形態４）
次に、図９を用いて実施の形態４におけるファイルシステム管理方法について説明する。図９は実施の形態４のファイルシステムの管理方法によるデータ構造を例示する図である。
【００７６】
実施の形態４おいては、実施の形態３でＦｉｌｅ  Ｅｎｔｒｙの空き領域を抽出して、Ｆｉｌｅ  Ｅｎｔｒｙを記録するＮＥ領域とＦｉｌｅ  Ｂｏｄｙを記録するＮＢ領域に振り分けた後、３層、４層や８層など様々な層の多層ディスクでＮＢ領域を最適に配置することができる。
【００７７】
図９（ａ）は３層ディスクにおけるＮＥ領域、ＮＢ領域の配置方法、図９（ｂ）は４層ディスクにおけるＮＥ領域、ＮＢ領域の配置方法、図９（ｃ）は８層ディスクにおけるＮＥ領域、ＮＢ領域の配置方法である。以下、３層ディスク、４層ディスク、８層ディスクを例に説明する。
【００７８】
ディスク表面の傷等の欠陥によるＦｉｌｅ  Ｅｎｔｒｙの欠落や欠損を防ぐため、ＮＥ領域をできる限り表面から離れた層に配置する必要があるので、３層ディスクの場合は、図９（ａ）に示すように、記録領域を１対１で分割すると、記録領域の分割点はＬ１層の中間点となる。このように管理した状態で、Ｌ１層、Ｌ２層のＦｉｌｅ  Ｂｏｄｙ記録領域９０２、９０３が、Ｆｉｌｅ  Ｂｏｄｙ群Ｂ１、Ｆｉｌｅ  Ｂｏｄｙ群Ｂ２で一杯になった場合に、空き領域は、Ｆｉｌｅ  Ｅｎｔｒｙ群Ｅ１、Ｆｉｌｅ  Ｅｎｔｒｙ群Ｅ２を記録して残っているＬ０層の外周の空き領域９００と、Ｌ１層外周の空き領域９０１である。
【００７９】
ここで実施の形態３の方法で、空き領域でのＦｉｌｅ  Ｅｎｔｒｙを記録するＮＥ領域と、Ｆｉｌｅ  Ｂｏｄｙを記録するＮＢ領域の比率を算出し、ＮＥ領域はＬ０層の空き領域９００に、ＮＢ領域はＬ１層の空き領域９０１に優先的に配置する。なおＬ０層の空き領域９００が少ない場合は、その比率に応じて適宜Ｌ１層の空き領域９０１にＮＥ領域も配置すればよい。この場合はスパイラル方向に従って空き領域９０１の外周側がＮＥ領域、内周側がＮＢ領域とすることが、物理アドレス連続性とファイルシステムの関係から好ましい。
【００８０】
次に４層ディスクの場合は、図９（ｂ）に示すようにＬ２層、Ｌ３層のＦｉｌｅ  Ｂｏｄｙ記録領域９２２〜９２３が、Ｆｉｌｅ  Ｂｏｄｙ群Ｂ１、Ｂ２で一杯になった場合に、空き領域としては、Ｆｉｌｅ  Ｅｎｔｒｙ群Ｅ１、Ｅ２を記録して残っているＬ１層の空き領域９２１が相当する。
【００８１】
まず、実施の形態３と同様の方法で、空き領域でのＦｉｌｅ  Ｅｎｔｒｙを記録するＮＥ領域と、Ｆｉｌｅ  Ｂｏｄｙを記録するＮＢ領域の比率を算出し、空き領域であるＬ１層の容量から、割り当てられるＮＥ領域の記録容量とＮＢ領域の記録容量とを求める。
【００８２】
次に、空き領域のあるＬ１層のスパイラル方向に従って、Ｌ１層の空き領域の外周から優先的に、求めた記録容量のＮＥ領域を配置する。図の例では、ＮＥ領域はＬ１層の途中（中間）まで割り当てられる。そして、Ｌ１の残りの内周側が空き領域がＮＢ領域となる。
【００８３】
なおＦｉｌｅの数が少なく、Ｆｉｌｅ  Ｅｎｔｒｙ群のサイズが小さい場合には、Ｌ０層にも空き領域が割り当てることができる。この場合には、Ｌ０層、Ｌ１層の順番に比率に応じてＮＥ領域を割り当て、その後にＮＢ領域をＬ１層に割り当てれば良い。
【００８４】
次に８層ディスクの場合は、図９（ｃ）に示すようにＬ４層、Ｌ５層、Ｌ６層、Ｌ７層のＦｉｌｅ  Ｂｏｄｙ記録領域９３４〜９３７が、Ｆｉｌｅ  Ｂｏｄｙ群Ｂ１、Ｂ２、Ｂ３、Ｂ４で一杯になった場合に、空き領域としては、Ｆｉｌｅ  Ｅｎｔｒｙ群Ｅ１、Ｅ２、Ｅ３、Ｅ４を記録して残っているＬ１層、Ｌ２層、Ｌ３層の空き領域９３１、９３２、９３３が相当する。
【００８５】
まず、実施の形態３と同様の方法で、空き領域でのＦｉｌｅ  Ｅｎｔｒｙを記録するＮＥ領域と、Ｆｉｌｅ  Ｂｏｄｙを記録するＮＢ領域の比率を算出し、空き領域であるＬ１層、Ｌ２層、Ｌ３層の容量から、割り当てられるＮＥ領域の記録容量とＮＢ領域の記録容量とを求める。
【００８６】
次に、空き領域のあるＬ１層のスパイラル方向に従って、Ｌ１層の空き領域の内周から優先的に、求めた記録容量のＮＥ領域を配置する。図の例では、ＮＥ領域はＬ１層の途中まで割り当てられる。そして、残りの空き領域がＮＢ領域となる。ＮＢ領域の割り当て順、すなわちＦｉｌｅ  Ｂｏｄｙの記録開始位置は元のＦｉｌｅ  Ｂｏｄｙ記録領域に最も近いＬ３層にする。この状態で書き込みを継続し、新たなＮＢ領域もＦｉｌｅ  Ｂｏｄｙでいっぱいになった時、ＮＥ領域に空き領域が残っている場合には、さらに繰り返して空き領域の分割を行うこともできる。
【００８７】
このように、Ｌ３層、Ｌ２層、Ｌ１層の順番に比率に応じてＮＢ層を割り当て、ＮＥ領域は逆にＬ１層、Ｌ２層の順番で割り当てることにより、空き領域で最も表面から離れたＬ１層から順番に管理データを記録するＮＥ領域を割り当てることができる。
【００８８】
また、ＮＥ領域の割り当てを記録層単位で行い、常にＮＥ領域とＮＢ領域の境界が記録層の端部にくるようにしても良い。求めた境界が記録層の端部ではない場合は、求めた境界の位置からスパイラル方向に進んだ記録層の端部を境界として、ＮＥ領域とＮＢ領域を分割する。このような割当を行うことにより、ＮＢ領域がＦｉｌｅ  Ｂｏｄｙで再度一杯となったとき、ＮＥ領域の空き領域が層で分断されないのでＮＥ領域を再びＮＥ、ＮＢ領域に再分割することも容易となる。
【００８９】
以上のように、２層ＢＤ、３層ＢＤ、４層ＢＤなどのように複数の記録領域が積層された記録媒体において、ファイル本体を読み出すために必須でありディスク表面の欠陥の影響を受けやすい管理データを、表面から離れた記録層Ｌ０から優先的に配置することによって、表面に付着した指紋やスクラッチなどの傷に対して入射光及び反射光の遮断や反射等による信号劣化を低減することができ、高いデータの保全性を確保することができると共に、空き領域１５に無駄なくデータを記録することができ、記録容量に対して記録するデータ量が少なくなることを抑制することができる。
【００９０】
またＢｌｕ−ｒａｙディスクにおいては、そのＬ０層にメディアの種別やブックタイプ、ライトストラテジなどのコントロールデータがＰＩＣ（Ｐｅｒｍａｎｅｎｔ  Ｉｎｆｏｒｍａｔｉｏｎ  ＆  Ｃｏｎｔｒｏｌ  ｄａｔａ  ｚｏｎｅ）として配置されており、ドライブの起動では必ずＬ０からアクセスし、かつＬ０で待機をする。そのためＯＳからエクスプローラでファイルフォルダを開いたときに、その情報を表示するための管理データが入っているファイルエントリのみを連続して読み出すので、管理データをまとめて記録することにより表示が早くなってユーザは快適な操作をすることができる。
【００９１】
さらに２層以上の多層ディスクにおいては、光ビームをピックアップから見て手前の層を通過させて奥の層の記録を行わねばならず、手前の層は透過率を確保し、かつ記録の前後で透過率を等しくする必要があるので、非常に設計自由度がなくなり、そのトレードオフで書き換え回数が犠牲となっている場合が多い。
【００９２】
逆に最も奥にあるＬ０層は透過率の調整は不要で、隣接したディスク基板に反射層や保護層を設けることもできるので安定性設計が容易である。よって書き換え回数は十分に確保される。例えばメディアメーカや、そこで使用する相変化材料の種類によっては、保証可能な書き換え回数の目安として、Ｌ０層が１００００回、Ｌ１層が１０００回と制限されている場合もある。
【００９３】
上記のような書き換え型２層Ｂｌｕ−ｒａｙの問題点にも本発明は適用することができる。例えば、Ｆｉｌｅ  Ｅｎｔｒｙは、ユーザがエクスプローラでファイルフォルダを開くだけの行為でＯＳ（Ｗｉｎｄｏｗｓ）からリードコマンドが発生し、Ｆｉｌｅ  Ｅｎｔｒｙの更新がなされる。このように書き換え回数がＦｉｌｅ  Ｂｏｄｙよりも多くなるＦｉｌｅ  ＥｎｔｒｙをＬ０層に優先的に配置し、Ｆｉｌｅ  ＢｏｄｙをＬ１層に優先的に配置することで、ディスク全体の信頼性、特に繰り返し書き換え回数に対する耐性を向上することができ、その効果は極めて高い。
【００９４】
また、上記説明では、ファイルシステムとしてＵＤＦを用いる場合を例に説明したが、データを管理データとデータ本体とに分割して管理する他のファイルシステムに対しても、上記各実施の形態での説明におけるＦｉｌｅ  Ｅｎｔｒｙを管理データとし、Ｆｉｌｅ  Ｂｏｄｙをデータ本体として同様に適応可能である。
【産業上の利用可能性】
【００９５】
本発明は、記録媒体の表面に指紋や傷などの欠陥がある場合であっても、データファイルを読み出すことができ、記録領域が積層された記録媒体に記録されるデータのファイルシステム管理方法と、それを用いた記録媒体等に有用である。
【図１】
2010095393.tif 000003
【図２】
2010095393.tif 000004
【図３】
2010095393.tif 000005
【図４】
2010095393.tif 000006
【図５】
2010095393.tif 000007
【図６】
2010095393.tif 000008
【図７】
2010095393.tif 000009
【図８】
2010095393.tif 000010
【図９】
2010095393.tif 000011
【図１０】
2010095393.tif 000012
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
基板上に積層される複数の記録層により記録領域が形成される記録媒体に、管理データとデータ本体とから構成されるファイルデータを書き込む際に、
前記記録領域をデータ本体記録領域と前記データ本体記録領域より前記基板に近い領域に割り当てられる管理データ記録領域とに任意の割合で２分割し、
前記管理データ記録領域に前記管理データを書き込み、
前記データ本体記録領域に前記データ本体を書き込む
ことを特徴とするファイルシステム管理方法。
【請求項２】
前記データ本体記録領域の記録容量が前記管理データ記録領域の記録容量と同じであることを特徴とする請求項１記載のファイルシステム管理方法。
【請求項３】
前記記録層が偶数層であり、前記データ本体記録領域と前記管理データ記録領域との境界が前記記録層の端部であることを特徴とする請求項２記載のファイルシステム管理方法。
【請求項４】
前記記録層が奇数層であり、前記データ本体記録領域と前記管理データ記録領域との境界が前記記録層の中間点に設けられることを特徴とする請求項２記載のファイルシステム管理方法。
【請求項５】
前記記録層のスパイラル方向を考慮して、前記データ本体記録領域の記録開始位置を前記スパイラル方向の上流側に設定することを特徴とする請求項２記載のファイルシステム管理方法。
【請求項６】
前記記録層のスパイラル方向を考慮して、前記スパイラル方向の上流側に前記管理データ記録領域を割り当てることを特徴とする請求項４記載のファイルシステム管理方法。
【請求項７】
前記データ本体記録領域に書き込む領域が不足し、前記管理データ記録領域に空き領域が残っている場合に、
既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することを特徴とする請求項１記載のファイルシステム管理方法。
【請求項８】
前記データ本体記録領域に書き込む領域が不足し、前記管理データ記録領域に空き領域が残っている場合に、
既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することを特徴とする請求項２記載のファイルシステム管理方法。
【請求項９】
前記データ本体記録領域に書き込む領域が不足し、前記管理データ記録領域に空き領域が残っている場合に、
既に書き込まれた前記データ本体のデータ量に対する標準偏差を求め、偏差値５０に最も近い前記データ本体のデータ量を選択してデータ本体の基準となるデータ量とし、
既に書き込まれた前記管理データのデータ量に対する標準偏差を求め、偏差値５０に最も近い前記管理データのデータ量を選択して管理データの基準となるデータ量とし、
前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することを特徴とする請求項１記載のファイルシステム管理方法。
【請求項１０】
前記データ本体記録領域に書き込む領域が不足し、前記管理データ記録領域に空き領域が残っている場合に、
既に書き込まれた前記データ本体のデータ量に対する標準偏差を求め、偏差値５０に最も近い前記データ本体のデータ量を選択してデータ本体の基準となるデータ量とし、
既に書き込まれた前記管理データのデータ量に対する標準偏差を求め、偏差値５０に最も近い前記管理データのデータ量を選択して管理データの基準となるデータ量とし、
前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することを特徴とする請求項２記載のファイルシステム管理方法。
【請求項１１】
前記空き領域用データ本体記録領域と前記管理データ記録領域との境界を、前記データ量の比に応じて分割した境界に対して書き込み方向に隣接する前記記録層の端部に設けることを特徴とする請求項８記載のファイルシステム管理方法。
【請求項１２】
前記ファイルデータがＵＤＦファイルシステムで管理されており、前記管理データがＦｉｌｅ  Ｅｎｔｒｙであり、前記データ本体がＦｉｌｅ  Ｂｏｄｙであることを特徴とする請求項２記載のファイルシステム管理方法。
【請求項１３】
前記記録媒体が光ディスクであることを特徴とする請求項２記載のファイルシステム管理方法。
【請求項１４】
管理データとデータ本体とから構成されるファイルデータが記録され、基板上に積層される複数の記録層により記録領域が形成される記録媒体であって、
前記記録領域がデータ本体記録領域と前記データ本体記録領域より前記基板に近い領域に割り当てられる管理データ記録領域とに任意の割合で２分割され、
前記管理データ記録領域に前記管理データが記録され、
前記データ本体記録領域に前記データ本体が記録される
ことを特徴とする記録媒体。
【請求項１５】
前記データ本体記録領域の記録容量と前記管理データ記録領域の記録容量とが同じであることを特徴とする請求項１４記載の記録媒体。
【請求項１６】
前記データ本体記録領域全体に前記データ本体が記録され、前記管理データ記録領域の前記管理データが記録された領域以外の空き領域が、空き領域用データ本体記録領域と空き領域用管理データ記録領域にさらに分割されることを特徴とする請求項１４記載の記録媒体。
【請求項１７】
前記データ本体記録領域全体に前記データ本体が記録され、前記管理データ記録領域の前記管理データが記録された領域以外の空き領域が、空き領域用データ本体記録領域と空き領域用管理データ記録領域にさらに分割されることを特徴とする請求項１５記載の記録媒体。
【手続補正２】
【補正対象書類名】明細書
【補正対象項目名】全文
【補正方法】変更
【補正の内容】
【発明の詳細な説明】
【技術分野】
【０００１】
本発明は、記録領域が積層された記録媒体に記録されるデータのファイルシステム管理方法と、それを用いた記録媒体に関する。
【背景技術】
【０００２】
ＣＤからＤＶＤ、さらにはＢｌｕ−ｒａｙと光ディスクの記録容量が増加するに伴い、そのファイルシステムも世代交代を重ねてきた。すなわち、ＩＳＯ９６６０に代わるファイルシステムとして、ＯＳＴＡ（Ｏｐｔｉｃａｌ  Ｓｔｏｒａｇｅ  Ｔｅｃｈｎｏｌｏｇｙ  Ａｓｓｏｃｉａｔｉｏｎ）によりＵＤＦ（Ｕｎｉｖｅｒｓａｌ  Ｄｉｓｋ  Ｆｏｒｍａｔ）が策定され、ＩＳＯ／ＩＥＣとＥｃｍａ  Ｉｎｔｅｒｎａｔｉｏｎａｌによってそれぞれ規格化された（例えば、非特許文献１から２を参照）。その後改訂を重ね、ＢＤ−ＲＥ（Ｖｅｒ．２．０／２．１／３．０）とＢＤ−ＲＯＭ（Ｖｅｒ．１．０）ではＵＤＦ２．５０が採用され、ＢＤ−Ｒ（Ｖｅｒ１．０）ではＵＤＦ２．６０が採用されている（例えば、非特許文献３から５を参照）。
【０００３】
このように情報が記録された光ディスクは、一般にはベアディスクで取り扱われており、光ディスクの製造時あるいは使用中にディスク表面に汚れや損傷などの欠陥が生じやすい。そして、欠陥が生じ、ファイルシステムの管理情報が正しく読めなくなると、記録されたファイルの再生動作自体ができなくなる。逆に、ファイル本体の読み出しに欠落等があったとしても、管理情報さえ正しく読み出すことができればファイルの再生動作は実行される。そのため、ファイル本体の異常に関わりなくファイルが読み出せるように、ＵＤＦはファイルシステムの階層構造やファイル本体の記録領域を管理する管理情報が記録されるファイルシステム管理領域を２ヶ所に記録し、管理構造を２重化することにより、一方の管理領域の読み出しに不具合があったとしても他方の管理領域を読み出すことによって再生動作の確保を行っている（例えば、特許文献１を参照）。
【０００４】
また、さらに外部要因による衝撃によって生じる損傷や指紋の付着に対して、再生動作を確保するために、重要なファイルシステム管理領域は内周と外周でなく、指紋や傷の損傷を受けにくい内周と中周に配置するという技術が知られている（例えば、特許文献２を参照）。
【先行技術文献】
【特許文献】
【０００５】
【特許文献１】特開２００２−２７９７０９号公報
【特許文献２】特開２００７−１９３９００号公報
【非特許文献】
【０００６】
【非特許文献１】ＩＳＯ／ＩＥＣ  １３３４６
【非特許文献２】ＥＣＭＡ−１６７
【非特許文献３】ブルーレイディスク規格書  ＢＤ−ＲＥ  Ｖｅｒ．２．０／２．１／３．０
【非特許文献４】ブルーレイディスク規格書  ＢＤ−ＲＯＭ  Ｖｅｒ．１．０
【非特許文献５】ブルーレイディスク規格書  ＢＤ−Ｒ  Ｖｅｒ１．０
【発明の概要】
【発明が解決しようとする課題】
【０００７】
図２はＢｌｕ−ｒａｙディスクの光ピックアップの様子を示す図であり、４層の記録層をもつＢｌｕ−ｒａｙディスクの断面図、図１０は従来のファイルシステム管理方法に基づき記録された２層ディスクのデータ構造を例示する図である。例えば、アクリル樹脂またはポリカーボネート樹脂で作製された基板１０２の表面に、Ｌ０層からＬ３層の記録層が順に形成されており、最外層のＬ３層の表面には光透過層１０３が形成されている。このＢｌｕ−ｒａｙディスクを記録再生するための光ピックアップの対物レンズ２０１のＮＡ（Ｎｕｍｅｒｉｃａｌ  Ａｐｅｒｔｕｒｅ  開口数）は、０．８５と極めて大きなものが使用される。
【０００８】
このようにＮＡの大きな光ピックアップを使用するので、次の問題が生じる。すなわち、図２に示すように、Ｂｌｕ−ｒａｙディスク表面についた傷や指紋（欠陥）があると、光ビームが遮断，反射，回折等されて十分な光量が記録層に到達することができない。そして、表面に近い層にアクセスする場合ほど、表面での光ビームスポット径に対する欠陥の占める比率が大きくなる。そのため、特許文献２のように、管理情報や重要なデータを内周、中周に配置している場合であっても、表面に近い層においてはこれらの欠陥の影響でディスクに記録されたＲＦ信号が欠落してしまう。さらには、サーボも不安定となるため、表面に近い層にあるファイルが読み出せなくなる。
【０００９】
ＵＤＦによるデータ構造は、管理データであるＦｉｌｅ  Ｅｎｔｒｙと、データ本体であるＦｉｌｅ  Ｂｏｄｙとからなり、管理データとデータ本体とはペアを構成し、ファイルを構成する単位となる。通常、これらのデータは、図１０に示すように、ペアごとに最内層であるＬ０層から表面に近い層に順に記録されている。
【００１０】
これらのファイルを再生するときには、ＵＤＦのファイルシステムでは、まず、管理データであるＦｉｌｅ  Ｅｎｔｒｙのみを読み出し、そのデータの整合性やデータ本体であるＦｉｌｅ  Ｂｏｄｙの位置を確認した後、データ本体であるＦｉｌｅ  Ｂｏｄｙの読み出しを行う。ここで、Ｆｉｌｅ  Ｂｏｄｙは、音楽や映像，テキストといったデータ本体であり、データ全体の内の一部に欠陥があってもノイズや文字化け等が生じるのみでデータの使用に支障がないことが多く、読み出し後データを修復することが可能な場合もある。これに対して、Ｆｉｌｅ  Ｅｎｔｒｙは管理データであり全てのデータｂｉｔに厳格な意味を有し、データ中の１つのｂｉｔに欠陥があっても対応するＦｉｌｅ  Ｂｏｄｙを読み出すことができない。
【００１１】
ところが、Ｂｌｕ−ｒａｙディスク表面の欠陥の影響は表面に近い層ほど大きいので、表面に近い層に管理データが書き込まれた場合には、管理データが欠陥により欠落する可能性が大きくなる。もし、この管理データが欠陥により読めなくなると、ひとつのファイルを構成するペアが再生できなくなるので、ファイル本体が読めなくなるという課題を有していた。
【００１２】
本発明のファイルシステム管理方法および記録媒体は、上記課題を解決するものであり、多層記録された光ディスク等の記録媒体において、ディスク表面に付着した指紋や傷などにより、ディスク表面に欠陥がある場合であっても、データファイルを読み出すことを可能とすることを目的とする。
【課題を解決するための手段】
【００１３】
本発明のファイルシステム管理方法は、基板上に積層される複数の記録層により記録領域が形成される記録媒体に、管理データとデータ本体とから構成されるファイルデータを書き込む際に、前記記録領域をデータ本体記録領域と前記データ本体記録領域より前記基板に近い領域に割り当てられる管理データ記録領域とに任意の割合で２分割し、前記管理データ記録領域に前記管理データを書き込み、前記データ本体記録領域に前記データ本体を書き込むことを特徴とする。
【００１４】
また、前記データ本体記録領域の記録容量が前記管理データ記録領域の記録容量と同じであっても良い。
【００１５】
また、前記記録層が偶数層であり、前記データ本体記録領域と前記管理データ記録領域との境界が前記記録層の端部であっても良い。
【００１６】
また、前記記録層が奇数層であり、前記データ本体記録領域と前記管理データ記録領域との境界が前記記録層の中間点に設けられても良い。
【００１７】
また、前記記録層のスパイラル方向を考慮して、前記データ本体記録領域の記録開始位置を前記スパイラル方向の上流側に設定することが好ましい。
【００１８】
また、前記記録層のスパイラル方向を考慮して、前記スパイラル方向の上流側に前記管理データ記録領域を割り当てることが好ましい。
【００１９】
また、前記データ本体記録領域に書き込む領域が不足し、前記管理データ記録領域に空き領域が残っている場合に、既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することが好ましい。
【００２０】
また、前記データ本体記録領域に書き込む領域が不足し、前記管理データ記録領域に空き領域が残っている場合に、既に書き込まれた前記データ本体のデータ量に対する標準偏差を求め、偏差値５０に最も近い前記データ本体のデータ量を選択してデータ本体の基準となるデータ量とし、既に書き込まれた前記管理データのデータ量に対する標準偏差を求め、偏差値５０に最も近い前記管理データのデータ量を選択して管理データの基準となるデータ量とし、前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することが好ましい。
【００２１】
また、前記空き領域用データ本体記録領域と前記管理データ記録領域との境界を、前記データ量の比に応じて分割した境界に対して書き込み方向に隣接する前記記録層の端部に設けても良い。
【００２２】
また、前記ファイルデータがＵＤＦファイルシステムで管理されており、前記管理データがＦｉｌｅ  Ｅｎｔｒｙであり、前記データ本体がＦｉｌｅ  Ｂｏｄｙであっても良い。
【００２３】
また、前記記録媒体が光ディスクであっても良い。
【００２４】
さらに、本発明の記録媒体は、管理データとデータ本体とから構成されるファイルデータが記録され、基板上に積層される複数の記録層により記録領域が形成される記録媒体であって、前記記録領域がデータ本体記録領域と前記データ本体記録領域より前記基板に近い領域に割り当てられる管理データ記録領域とに任意の割合で２分割され、前記管理データ記録領域に前記管理データが記録され、前記データ本体記録領域に前記データ本体が記録されることを特徴とする。
【００２５】
また、前記データ本体記録領域の記録容量と前記管理データ記録領域の記録容量とが同じであっても良い。
【００２６】
また、前記データ本体記録領域全体に前記データ本体が記録され、前記管理データ記録領域の前記管理データが記録された領域以外の空き領域が、空き領域用データ本体記録領域と空き領域用管理データ記録領域にさらに分割されても良い。
【００２７】
以上により、多層記録された光ディスク等の記録媒体において、ディスク表面に指紋や傷などの欠陥がある場合であっても、データファイルを読み出すことを可能とすることができる。
【発明の効果】
【００２８】
以上のように、複数の記録層が積層された記録媒体において、データの信頼性が要求される管理データを記録媒体の表面から遠い記録層に記録し、データ本体を表面に近い記録層に記録することにより、記録媒体の表面に指紋や傷などの欠陥がある場合であっても、データファイルを読み出すことが可能となる。
【図面の簡単な説明】
【００２９】
【図１】本発明で取り扱う２層、３層及び４層Ｂｌｕ−ｒａｙディスクの記録トラックのスパイラル方向を示す図
【図２】Ｂｌｕ−ｒａｙディスクの光ピックアップの様子を示す図
【図３】実施の形態１のファイルシステム管理方法に基づき記録された４層ディスクのデータ構造を例示する図
【図４】実施の形態２のファイルシステム管理方法に基づき記録された３層ディスクのデータ構造を例示する図
【図５】実施の形態３のファイルシステムの管理方法によるデータ構造図
【図６】実施の形態３のファイルシステムの管理方法によるディスクの記録状態を示す平面模式図
【図７】実施の形態３における空き領域の分割方法を説明するためのデータ構造図
【図８】実施の形態３を説明するためのデータ分布を示すテーブル及び分布図
【図９】実施の形態４のファイルシステムの管理方法によるデータ構造を例示する図
【図１０】従来のファイルシステム管理方法に基づき記録された２層ディスクのデータ構造を例示する図
【発明を実施するための形態】
【００３０】
本発明の実施の形態を説明する前に、さらに詳しく、ディスク表面に生じた傷や塵、指紋などの欠陥の影響について説明する。
【００３１】
図２は、４層ディスクにおけるＬ０層、Ｌ２層、Ｌ３層に光ビームがフォーカスした場合の光ピックアップからの光ビームが欠陥によって損なわれる領域の相対的な大きさの概念図である。
図２より明らかなように、光ビームのフォーカスが位置する記録層の深さによって光ディスク表面における光ビームの直径は変化する。例えば、光ディスク表面に近い記録層（Ｌ２層、Ｌ３層）に光ビームがフォーカスしている場合は、ディスク表面を通過する光ビームの断面積は小さくなり、より遠い記録層（Ｌ０）に光ビームがフォーカスしている場合には光ビームの断面積は大きくなる。そのため、光ディスク表面に近い記録層（Ｌ２層、Ｌ３層）に光ビームがフォーカスしている場合は、より遠い記録層（Ｌ０）に光ビームがフォーカスしている場合に比べて、ディスク表面に生じた同じ欠陥５９ａによって光ビームの断面が遮られる面積の割合が大きくなり、光ディスク表面通過する光ビームの断面が相対的に小さくなる。したがって、光ディスク表面において光ビームの断面サイズに対する傷や塵の面積が占める割合は、光ビームがフォーカスしている記録層が光ディスク表面に近いほど大きくなり、データの記録再生にエラーが生じやすくなる。
【００３２】
以上の説明からわかるように、光ディスク表面に形成される傷や塵による悪影響は、光ディスク表面に近い記録層に光ビームがフォーカスしている場合に大きくなるが、光ディスク表面から離れた記録層にフォーカスしている場合には小さくなる。
【００３３】
そのため、本発明のファイルシステム管理方法およびそれを用いてデータを記録した記録媒体の特徴は、表面の欠陥の影響を受け難い表面から離れた記録層に管理データを記録する領域を設けることである。それにより、記録媒体の表面に指紋や傷などの欠陥がある場合であっても、データファイルを読み出すことが可能となる。
【００３４】
なお、光ディスク表面における光ビームの断面よりも大きな表面欠陥２１０が形成されている場合もあり得る。このように極めて大きな表面欠陥２１０を光ビームが横切るときは、光ビームがいずれの記録層にフォーカスしている場合でも、反射光量の低下が顕著となり、データの記録再生にエラーが発生してしまう。しかしながら、そのように大きな傷や塵が光ディスク表面に存在している場合は、目視によっても容易に欠陥を発見できるため、このような光ディスク自体を欠陥品として処理することが可能である。
【００３５】
以下、本発明のファイルシステム管理方法およびその方法を用いてファイルデータを書き込んだ記録媒体の各実施の形態について、主にファイルシステム管理方法によって説明する。
（実施の形態１）
以下、本発明によるファイルシステム管理方法によって制御された４層の光ディスクを例にあげて、実施の形態１を説明する。
【００３６】
図３は実施の形態１のファイルシステム管理方法に基づき記録された４層ディスクのデータ構造を例示する図であり、本実施の形態におけるデータの記録配列を示す構成図である。Ｆｉｌｅ  Ｅｎｔｒｙは管理データであるため、データサイズほぼ一定であり、Ｆｉｌｅ  Ｂｏｄｙはデータの内容によってデータサイズが異なり、Ｆｉｌｅ  Ｅｎｔｒｙと同等またはそれ以上の大きさであるのが一般的である。この場合、Ｆｉｌｅ  ＥｎｔｒｙとＦｉｌｅ  Ｂｏｄｙとのデータ量等によりそれぞれの記録領域の大きさを任意に定めて、光ディスクの表面から遠いＦｉｌｅ  Ｅｎｔｒｙの記録領域と表面に近いＦｉｌｅ  Ｂｏｄｙの記録領域の境界を決定する。ただし、データサイズが小さいときは、Ｆｉｌｅ  ＥｎｔｒｙとＦｉｌｅ  Ｂｏｄｙとの大きさがほぼ等しくなる。例えば、データサイズが２０４８ｂｙｔｅ程度の場合は、Ｆｉｌｅ  ＥｎｔｒｙとＦｉｌｅ  Ｂｏｄｙとのサイズはほぼ等しくなる。このような場合には、Ｆｉｌｅ  Ｅｎｔｒｙを記録する領域とＦｉｌｅ  Ｂｏｄｙを記録する領域の記録容量を、それぞれディスク全体の容量の１／２とし、Ｆｉｌｅ  Ｅｎｔｒｙを記録する領域を最内層側に配置することができる。
【００３７】
本実施の形態においては、光ディスクの表面から遠いＦｉｌｅ  Ｅｎｔｒｙの記録領域と表面に近いＦｉｌｅ  Ｂｏｄｙの記録領域の境界を、ディスク全体の容量が１／２となる位置に設ける場合を例に説明する。
【００３８】
この場合、Ｆｉｌｅ  Ｂｏｄｙを記録する開始点をディスク全体の容量Ｎの１／２となる位置Ｎ／２（Ｃ点）とする。Ｆｉｌｅ  Ｅｎｔｒｙは表面から最内層であるＬ０層の内周から順次記録を行っていく。Ｆｉｌｅ  Ｂｏｄｙは、Ｆｉｌｅ  Ｅｎｔｒｙを記録した後、２層ディスクであればＮ／２に相当するＬ１層の最外周から最内周へ順次記録を行う。４層ディスクであればＮ／２に相当するＬ２層の最内周から最外周へ順次記録を進め、Ｌ２層が一杯になった後、表面側に隣接する記録層Ｌ３へ移動してスパイラル方向を考慮して連続的に記録を行う。８層ディスクであればＮ／２に相当するＬ４層の最内周から最外周へ順次記録を進め、Ｌ４層が一杯になった後、表面側に隣接する記録層Ｌ５層へ移動して記録を行う。
【００３９】
ここでは、隣接する記録層のスパイラル方向が互いに逆方向となる光ディスクの場合を例に説明したため、基板から奇数層は最内周から記録を初め、偶数層は最外周から記録を始めたが、全ての記録層のスパイラル方向が同じ場合には、全層最内周または最外周から記録を開始する。以下、各実施の形態の説明でも同様とする。
【００４０】
具体的に４層ディスクにおいては、例えば図３に示すようにＬ０層の先頭である最内周位置からＦｉｌｅ  Ｅｎｔｒｙ１を記録しベリファイした後、光ビームをＬ２層に移動してＬ２層の先頭である最内周付近に移動して、Ｆｉｌｅ  Ｅｎｔｒｙ１に対応するＦｉｌｅ  Ｂｏｄｙ１を記録する。次にＦｉｌｅ  Ｅｎｔｒｙ２をＦｉｌｅ  Ｅｎｔｒｙ１が記録された次のブロックに記録しベリファイ後、同様に光ビームをＬ２層の先頭である内周付近に移動して、Ｆｉｌｅ  Ｅｎｔｒｙ２に対応するＦｉｌｅ  Ｂｏｄｙ２をＦｉｌｅ  Ｂｏｄｙ１に続くブロックに記録する。Ｌ１層がＦｉｌｅ  Ｂｏｄｙでいっぱいとなり、記録領域がなくなった場合は、次に隣接するＬ３層にＦｉｌｅ  Ｂｏｄｙｎを記録していく。こうして順次記録する層を表面側に移動しながらデータを記録していく。このデータ記録の際に、キャッシュメモリを活用して複数のＦｉｌｅ  Ｅｎｔｒｙをまとめて連続的に記録すれば光ディスクの記録時間を増加させることなく、本実施の形態におけるファイルシステム管理を行うことができる。
【００４１】
なお、本実施の形態１においては、４層ディスクで説明したが、２層以上の４層、６層や１６層ディスクといった偶数層ディスクで適用される。
【００４２】
このように、ファイルシステム管理方法およびそれを用いてデータを記録した記録媒体においては、偶数層で構成される光ディスクを光ディスクの表層から見た内層側と外層側に２分し、内層側にＦｉｌｅ  Ｅｎｔｒｙ等の管理データを、外層側にＦｉｌｅ  Ｂｏｄｙ等のデータ本体を書き込むことにより、外層側に隣接する光ディスク表面に傷や塵等の欠陥が存在する場合であっても、表面の欠陥により管理データの読み出しに欠落が生じる可能性を低減することができ、光ディスクに記録されたデータを読み出すことが可能となる。
（実施の形態２）
本発明によるファイルシステム管理方法によって制御された３層の光ディスクを例にあげて、記録層を奇数層備える光ディスクにおいてＦｉｌｅ  Ｅｎｔｒｙの記録領域とＦｉｌｅ  Ｂｏｄｙの記録領域を１／２に分割する実施の形態２について、図１，図４を用いて説明する。
【００４３】
図１は本発明で取り扱う２層、３層及び４層Ｂｌｕ−ｒａｙディスクの記録トラックのスパイラル方向を示す図である。図４は実施の形態２のファイルシステム管理方法に基づき記録された３層ディスクのデータ構造を例示する図であり、本実施の形態におけるデータの記録状態を示す構成図である。実施の形態１と同様に、まずＦｉｌｅ  ＥｎｔｒｙとＦｉｌｅ  Ｂｏｄｙとを記録する領域を分割確保する。
【００４４】
図４に示すように、Ｆｉｌｅ  Ｂｏｄｙの記録の開始層は、ディスク全体の容量Ｎの１／２となる、半径位置Ｃ点が存在する中間の層Ｌ１である。そして、Ｌ１層はＬ０層と記録トラックのスパイラル方向が互いに逆となっている。よって、そのＬ１層の中間位置のＣ点から最内周までと、その中間の層Ｌ１に対して表面側に隣接した記録層Ｌ２が、Ｆｉｌｅ  Ｂｏｄｙの記録領域となり、表面から最も離間しているＬ０層とＬ０層に隣接したＬ１層の最外周から中間層Ｃ点までが、Ｆｉｌｅ  Ｅｎｔｒｙの記録領域となる。
【００４５】
具体的には、例えば、まず、Ｌ０層の先頭である最内周の位置からＦｉｌｅ  Ｅｎｔｒｙ１を記録しベリファイした後、光ビームを隣接したＬ１層に移動してＬ１層のＣ点から内周方向に向かってＦｉｌｅ  Ｅｎｔｒｙ１に対応するＦｉｌｅ  Ｂｏｄｙ１を記録する。次に、Ｌ０層に戻ってＦｉｌｅ  Ｅｎｔｒｙ２をＦｉｌｅ  Ｅｎｔｒｙ１が記録された次のブロックに記録しベリファイした後、同様に光ビームをＬ１層の先頭である内周付近に移動し、Ｆｉｌｅ  Ｅｎｔｒｙ２に対応するＦｉｌｅ  Ｂｏｄｙ２をＦｉｌｅ  Ｂｏｄｙ１に続くブロックに記録する。Ｌ１層のＣ点から内周側がＦｉｌｅ  Ｂｏｄｙでいっぱいになった場合には、次に隣接するＬ２層にＦｉｌｅ  Ｂｏｄｙｎを記録していく。こうして順次記録する層を表面側に移動しながらデータの記録を行う。ここでＬ１層の最内周に到達する手前の近傍位置でＦｉｌｅ  Ｂｏｄｙの記録が開始される場合にはＦｉｌｅ  Ｅｎｔｒｙの記録を完了した時点で、Ｆｉｌｅ  Ｂｏｄｙのサイズをファイルシステムは認識しているので、Ｌ１層でＦｉｌｅ  Ｂｏｄｙｎを記録する領域が不足しているかどうかを判断し、不足していれば隣接のＬ２層に移動して、そこの内周位置からＦｉｌｅ  Ｂｏｄｙの記録を開始することができる。なお、実施の形態１と同様に、データ記録の際には、キャッシュメモリを活用して複数のＦｉｌｅ  Ｅｎｔｒｙを連続して記録すれば光ディスクの記録時間を増加させることなく、本実施の形態におけるシステムファイル管理を行うことができる。
【００４６】
ここでは、アクセス方向が隣接する記録層毎に互いに逆になるスパイラルを有する光ディスクを例に説明したため、Ｌ１層におけるＦｉｌｅ  Ｂｏｄｙの記録領域がＣ点から内周向きに形成されたが、スパイラル方向が一定に形成された光ディスクでは、前述のようにＦｉｌｅ  Ｂｏｄｙの記録領域がＣ点から外周向きに形成される。
【００４７】
なお、ここでは３層ディスクを用いて説明したが、実施の形態２においては、３層以上の５層、７層や１５層ディスクといった奇数層ディスクで適用される。
【００４８】
ここで、複数の記録層を持つディスクにおいて、隣接する記録層の記録トラックのスパイラル方向について説明する。図１（ａ），（ｂ）及び（ｃ）は、それぞれ、２層、３層及び４層の記録層を備えるディスクにおける記録トラックのスパイラル方向を示す図である。図１から明らかなように、隣接する各記録層は互いに逆方向のスパイラル構造を備えており、基板から奇数番目の層は内周から外周へのスパイラル、偶数番目の層は外周から内周のスパイラルとなっている。すなわち４層ディスクを例にとればＬ０層のスパイラル方向は内周から外周へ進行し、Ｌ１層のスパイラル方向は外周から内周へ逆行し、Ｌ２層のスパイラル方向は内周から外周へ再度進行し、Ｌ３層のスパイラル方向は外周から内周に戻っている。
【００４９】
このように、先に述べたようにＢｌｕ−ｒａｙディスクは隣接層同士が逆スパイラルとなっている。そのため、４層、８層といった偶数層ディスクでも４の倍数ディスクの場合には、容量Ｎの１／２となる層のスパイラル方向は、Ｌ０層と同じ方向（内周から外周へ向けてのスパイラル方向）となり、Ｆｌｉｅ  Ｅｎｔｒｙと、Ｆｉｌｅ  Ｂｏｄｙとはいずれも内周から記録を開始する。そのため、光ピックアップの移動距離が短くなるので、ファイル全体のアクセス性も向上する。
【００５０】
一方、４の倍数でない６層、１０層ディスクにおいては、容量Ｎの１／２となる層からＦｉｌｅ  Ｂｏｄｙの記録を開始せず、その表面側の隣接層（６層であればＬ４層、１０層であればＬ６層）にＦｉｌｅ  Ｂｏｄｙを記録する方が良い。これは、その層（６層であればＬ４層、１０層であればＬ６層）のスパイラル方向がＬ０層と同じ方向だからである。従って、この層の最内周をＦｉｌｅ  Ｂｏｄｙを記録する開始位置とし、表面に向かって順次層を移動しながら記録し、表面に最も近い最終層まで使用したら、容量Ｎの１／２となる層に戻って、その層を使用するように構成すれば、ファイルのアクセス性を向上することができる。
【００５１】
なお５層ディスクや９層ディスクにおいては、上記中間の層であるＬ２層やＬ４層はＬ０層と同じスパイラル方向（内周から外周）であるため、Ｆｉｌｅ  Ｂｏｄｙの記録領域は、その層の最内周から中間の半径位置Ｃ点までと、その中間の層から表面側に積層された記録層となる。
【００５２】
実施の形態１における偶数層ディスクも、実施の形態２における奇数層ディスクも容量Ｎが１／２となる位置が存在する中間の層から、Ｆｉｌｅ  Ｂｏｄｙの記録を開始し、その中間の層のＦｉｌｅ  Ｂｏｄｙを記録する領域が一杯となった場合にその中間の層から表面側に向かって、隣接する層へと移動していき、次のＦｉｌｅ  Ｂｏｄｙの記録を開始する構成としている。
【００５３】
よって中間層あるいはそれに隣接する記録層からＦｉｌｅ  Ｂｏｄｙの記録を開始することとなり、これは１６層や２０層ディスクとなったとき、Ｆｉｌｅ  Ｅｎｔｒｙが最も表面から離間した層で、Ｂｏｄｙが最も表面に近い層となって物理的に最も離れた配置になるのを抑制し、アクセス性の劣化を防止することができる。
【００５４】
実施の形態１および実施の形態２では、Ｆｌｉｅ  Ｅｎｔｒｙを記録する領域とＦｉｌｅ  Ｂｏｄｙを記録する領域とを１対１の割合で分割する場合を例に説明したが、分割の割合は任意に設定可能である。この場合は、境界がＮ／２となるＣ点に限られず、任意の記録層上の端部や任意の記録層上の位置になる以外は上記の説明と同様である。また、分割方法は、あらかじめ任意に設定した割合でＦｌｉｅ  Ｅｎｔｒｙを記録する領域とＦｉｌｅ  Ｂｏｄｙを記録する領域とを分割しても良いし、データの種類によるデータ量の平均的な割合等、いかなる分割方法を用いても同様に実現できる。
【００５５】
このように、ファイルシステム管理方法およびそれを用いてデータを記録した記録媒体においては、記録媒体の記録領域を、管理データを記録する領域とデータ本体を記録する領域とに１対１あるいは任意の割合で分割し、ピックアップ装置に隣接する面である表面から遠い領域に管理データを記録する領域を設定し、表面に近い領域にデータ本体を記録する領域を設定することにより、表面の欠陥による影響の小さい領域に高いアクセス信頼性が要求される管理データを優先的に記録することができるため、表面に欠陥があったとしてもデータのアクセスに失敗することを抑制することができる。
【００５６】
ここで、表面の欠陥は製造時の傷や汚れ等に限られず、使用中にも指紋等の付着により生じる。また、管理データはデータの書き込み時に限らず、フォルダの選択等によっても情報が書き換えられる。そのため、既に記録された管理データであっても、使用中に新たに生じた欠陥によって情報の記録状態が劣化する可能性もある。この場合であっても、管理データを表面の欠陥による影響が少ない表面から遠い領域に優先的に記録するため、管理データの記録状態の悪化を抑制することができる。
（実施の形態３）
次に、図５〜図８を用いて実施の形態３におけるファイルシステム管理方法について説明する。
【００５７】
図５は実施の形態３のファイルシステムの管理方法によるデータ構造図、図６は実施の形態３のファイルシステムの管理方法によるディスクの記録状態を示す平面模式図、図７は実施の形態３における空き領域の分割方法を説明するためのデータ構造図、図８は実施の形態３を説明するためのデータ分布を示すテーブル及び分布図である。
【００５８】
実施の形態３は、実施の形態１，実施の形態２でＦｉｌｅ  Ｂｏｄｙを記録する領域が不足した場合に、もともと予約していたＦｉｌｅ  Ｅｎｔｒｙの記録領域を割り当て、ディスク全体の記録効率を向上させるものである。特に全体の容量の少ない２層ディスクで有効となるため、２層ディスクを例に以下説明する。
【００５９】
図５に示すように、一般的に、Ｆｉｌｅ  Ｅｎｔｒｙ４は管理データであるため、データサイズはほぼ一定であり、Ｆｉｌｅ  Ｂｏｄｙ５はデータの内容によってデータサイズが異なり、Ｆｉｌｅ  Ｅｎｔｒｙ４と同等またはそれ以上の大きさである。そのため、Ｆｉｌｅ  Ｅｎｔｒｙを記録する領域とＦｉｌｅ  Ｂｏｄｙを記録する領域とを１対１で分割するファイルシステム管理方法を行った場合には、Ｌ０層に対してＬ１層の方が先に書き込み領域が不足することになる。
【００６０】
このように、Ｌ１層の書き込み領域がなくなったとしても、Ｌ０層の書き込み領域は十分に残っている場合がほとんどなので、Ｌ１層の書き込み領域がなくなった後の書き込み時には、Ｆｉｌｅ  Ｅｎｔｒｙ４はそのままＬ０層に書き込み、Ｆｉｌｅ  Ｂｏｄｙ５はＬ０層のＦｉｌｅ  Ｅｎｔｒｙ領域を確保した後ろの“空き領域”に順番に書くことが実施の形態３の特徴である。そして、Ｌ０層の空き領域がなくなるまでこの方法で書き込むことにより、実施の形態１，実施の形態３のファイルシステム管理方法を行った場合であっても、表面に欠陥があったとしてもデータのアクセスに失敗することを抑制すると共に、２層構造のブルーレイディスクの記録領域を無駄なく使用してデータを記録させることができる。
【００６１】
図６，図７に示すように、データを書き込む際には、まず、高いアクセス信頼性が要求される管理データのＦｉｌｅ  Ｅｎｔｒｙ４を表面の欠陥の影響が少ないＬ０層のみに記録する。そして、データの欠落がある程度許容されるデータ本体のＦｉｌｅ  Ｂｏｄｙを表面に近く、表面の欠陥の影響が大きいＬ１層に記録していく。そのまま、データを書き込み続けていくと、いずれ、Ｌ１層はＦｉｌｅ  Ｂｏｄｙでいっぱいになる。この時、Ｆｉｌｅ  ＥｎｔｒｙはＦｉｌｅ  Ｂｏｄｙよりデータ量が小さいため、図７（ａ）に示すように、Ｌ０層にはＳ［ｂｙｔｅ］の空き領域１５が残ることが想定される。
【００６２】
この空き領域１５を効率的に使用するために、空き領域１５をＦｉｌｅ  Ｅｎｔｒｙを記録するＮＥ領域１６とＦｉｌｅ  Ｂｏｄｙを記録するＮＢ領域１７とに振り分けることが本発明の空き領域管理方法の特徴であり、実施の形態３では、既に記録されているＦｉｌｅ  ＥｎｔｒｙとＦｉｌｅ  Ｂｏｄｙとのデータ量の割合に応じて空き領域１５をＮＥ領域１６とＮＢ領域１７とに振り分ける。
【００６３】
例えば、図７に示すように、ｎ個のデータを記録した状態で、Ｌ１層は合計Ｂ［ｂｙｔｅ］のｎ個のＦｉｌｅ  Ｂｏｄｙが記録され一杯となり、Ｌ０層には合計Ｅ［ｂｙｔｅ］のｎ個のＦｉｌｅ  Ｅｎｔｒｙが記録されて、さらに、Ｓ［ｂｙｔｅ］の空き領域１５が残っていたと仮定する。
【００６４】
Ｆｉｌｅ  ＥｎｔｒｙとＦｉｌｅ  ＢｏｄｙとはＥ：Ｂの割合で記録されているので、空き領域１５をＥ：Ｂの割合でＮＥ領域１６とＮＢ領域１７とに振り分ける。従って、ＮＥ領域１６を既にＦｉｌｅ  Ｅｎｔｒｙが記録された領域と連続してＳ×Ｅ／（Ｂ＋Ｅ）［ｂｙｔｅ］の領域に設定し、残りのＳ×Ｂ／（Ｂ＋Ｅ）［ｂｙｔｅ］の領域をＮＢ領域１７に設定する。
【００６５】
このように、既に記録されているＦｉｌｅ  ＥｎｔｒｙとＦｉｌｅ  Ｂｏｄｙとのデータ量の割合で空き領域１５を分割し、Ｆｉｌｅ  Ｅｎｔｒｙを記録するＮＥ領域１６とＦｉｌｅ  Ｂｏｄｙを記録するＮＢ領域１７とに振り分けることにより、表面に欠陥があったとしてもデータのアクセスに失敗することを抑制しながら、空き領域１５に無駄なくデータを記録することができ、記録容量に対して記録するデータ量が少なくなることを抑制することができる。
【００６６】
図８は実施の形態３における他の空き領域の分割方法を説明する図であり、図８（ａ）はＦｉｌｅ  Ｂｏｄｙのデータサイズ分布表、図８（ｂ）はＦｉｌｅ  Ｂｏｄｙのデータサイズ分布図、図８（ｃ）はＦｉｌｅ  Ｅｎｔｒｙのデータサイズ分布表、図８（ｄ）はＦｉｌｅ  Ｅｎｔｒｙのデータサイズ分布図、図８（ｅ）は空き領域における記録領域分割状態を示す図である。
【００６７】
本実施の形態のシステムファイル管理方法は、上述の図７（ａ）に示すような空き領域１５が残った場合、Ｆｉｌｅ  ＥｎｔｒｙとＦｉｌｅ  Ｂｏｄｙとのデータ量分布からそれぞれの標準偏差を求め、偏差値が５０に最も近いデータ量をＦｉｌｅ  Ｅｎｔｒｙの基準となるデータ量ＬＥ，Ｆｉｌｅ  Ｂｏｄｙの基準となるデータ量ＬＢとして選択し、空き領域１５をＬＥ：ＬＢの比率で分割することを特徴とする。
【００６８】
例えば、図８に示すように、Ｆｉｌｅ  Ｂｏｄｙについて、任意のデータ範囲内にあるデータの個数から分布表を作成し（図８（ａ））、分布表を基に標準偏差を求める。そして、偏差値が５０に最も近いデータ範囲を選択し、その中心値をＦｉｌｅ  Ｂｏｄｙの基準となるデータ量ＬＢとする。図８に示す例では偏差値が５０に最も近い５１２ｋ〜１Ｍ［ｂｙｔｅ］の範囲を選択し、その中心値である７６８ｋ［ｂｙｔｅ］をＬＢとする（図８（ｂ））。同様に、Ｆｉｌｅ  Ｅｎｔｒｙについて、任意のデータ範囲内にあるデータの個数から分布表を作成し（図８（ｃ））、分布表を基に標準偏差を求める。そして、偏差値が５０に最も近いデータ範囲を選択し、その中心値をＦｉｌｅ  Ｅｎｔｒｙの基準となるデータ量ＬＥとする。図８に示す例では偏差値が５０に最も近い７ｋ〜１１ｋ［ｂｙｔｅ］の範囲を選択し、その中心値である９ｋ［ｂｙｔｅ］をＬＥとする（図８（ｄ））。その後、既にＦｉｌｅ  Ｅｎｔｒｙが記録された領域と連続してＮＥ領域１８が振り分けられ、かつ、空き領域１５をＮＥ領域１８：ＮＢ領域１９がＬＥ：ＬＢとなるように分割する。図８に示す例では、空き領域１５がＮＥ領域１８：ＮＢ領域１９＝９：７６８となるように分割される。
【００６９】
このように、既に記録されているＦｉｌｅ  ＥｎｔｒｙとＦｉｌｅ  Ｂｏｄｙとのデータ量から求めた標準偏差の比率で空き領域１５を分割し、Ｆｉｌｅ  Ｅｎｔｒｙを記録するＮＥ領域１８とＦｉｌｅ  Ｂｏｄｙを記録するＮＢ領域１９とに振り分けることにより、表面に欠陥があったとしてもデータのアクセスに失敗することを抑制しながら、空き領域１５に無駄なくデータを記録することができ、記録容量に対して記録するデータ量が少なくなることを抑制することができる。
【００７０】
ここで、Ｆｉｌｅ  Ｅｎｔｒｙが一定のデータ量で記録されている場合には、標準偏差を求めることなく、その値をＬＥとして用いることもできる。
【００７１】
また、３層以上の記録領域を積層した構造のブルーレイディスクやその他の記録媒体の場合には、Ｆｉｌｅ  Ｂｏｄｙを記録する記録領域がなくなった時点での、Ｆｉｌｅ  Ｅｎｔｒｙが記録された記録領域の１層または複数層にまたがる空き領域を、上記の方法で空き領域５として振り分ける。そして、分割する割合や比率の算出には、１または複数の記録領域にまたがって記録されている全てのＦｉｌｅ  ＥｎｔｒｙあるいはＦｉｌｅ  Ｂｏｄｙを用いる。３層以上の具体的なＮＢ、ＮＥ領域の配置については、後の実施の形態４で説明する。
【００７２】
さらに別の空き領域管理方法について、図６および図８（ｅ）を参照して説明する。この方法はあらかじめ統計により求めた、既に書き込まれたＦｉｌｅ  Ｅｎｔｒｙの総データ量と残りのデータを書き込むのに必要なＮＥ領域１８とＮＢ領域１９との比率ＬＥ：ＬＢをテーブルに記録しておき、テーブルを基に既に書き込まれたＦｉｌｅ  Ｅｎｔｒｙの総データ量から求めたＮＥ領域１８とＮＢ領域１９との比率ＬＥ：ＬＢに応じて空き領域１５を分割することを特徴とする。
【００７３】
例えば、まず、既に書き込まれたＦｉｌｅ  Ｅｎｔｒｙの総データ量と、残りのデータを書き込むのに必要なＮＥ領域１８とＮＢ領域１９との比率ＬＥ：ＬＢを統計的に調べる。そして、その統計結果に応じて、Ｆｉｌｅ  Ｅｎｔｒｙ総データ量の一定の幅毎にＬＥ：ＬＢを記録したテーブルを作成する。
【００７４】
Ｆｉｌｅ  Ｂｏｄｙの書き込み領域がいっぱいになった時、まず、Ｆｉｌｅ  Ｅｎｔｒｙの総データ量を調べる。次に、テーブルを参照してＦｉｌｅ  Ｅｎｔｒｙの総データ量に対応するＬＥ：ＬＢを抽出し、この比率に応じて空き領域１５を分割する。
【００７５】
このように、ファイルシステム管理方法およびそれを用いてデータを記録した記録媒体においては、あらかじめ記録したテーブルに応じて既に記録されているＦｉｌｅ  Ｅｎｔｒｙの総データ量から求めた比率を用いて、Ｆｉｌｅ  Ｅｎｔｒｙを記録するＮＥ領域１８とＦｉｌｅ  Ｂｏｄｙを記録するＮＢ領域１９とに振り分けることにより、表面に欠陥があったとしてもデータのアクセスに失敗することを抑制しながら、空き領域１５に無駄なくデータを記録することができ、記録容量に対して記録するデータ量が少なくなることを抑制することができる。
（実施の形態４）
次に、図９を用いて実施の形態４におけるファイルシステム管理方法について説明する。図９は実施の形態４のファイルシステムの管理方法によるデータ構造を例示する図である。
【００７６】
実施の形態４おいては、実施の形態３でＦｉｌｅ  Ｅｎｔｒｙの空き領域を抽出して、Ｆｉｌｅ  Ｅｎｔｒｙを記録するＮＥ領域とＦｉｌｅ  Ｂｏｄｙを記録するＮＢ領域に振り分けた後、３層、４層や８層など様々な層の多層ディスクでＮＢ領域を最適に配置することができる。
【００７７】
図９（ａ）は３層ディスクにおけるＮＥ領域、ＮＢ領域の配置方法、図９（ｂ）は４層ディスクにおけるＮＥ領域、ＮＢ領域の配置方法、図９（ｃ）は８層ディスクにおけるＮＥ領域、ＮＢ領域の配置方法である。以下、３層ディスク、４層ディスク、８層ディスクを例に説明する。
【００７８】
ディスク表面の傷等の欠陥によるＦｉｌｅ  Ｅｎｔｒｙの欠落や欠損を防ぐため、ＮＥ領域をできる限り表面から離れた層に配置する必要があるので、３層ディスクの場合は、図９（ａ）に示すように、記録領域を１対１で分割すると、記録領域の分割点はＬ１層の中間点となる。このように管理した状態で、Ｌ１層、Ｌ２層のＦｉｌｅ  Ｂｏｄｙ記録領域９０２、９０３が、Ｆｉｌｅ  Ｂｏｄｙ群Ｂ１、Ｆｉｌｅ  Ｂｏｄｙ群Ｂ２で一杯になった場合に、空き領域は、Ｆｉｌｅ  Ｅｎｔｒｙ群Ｅ１、Ｆｉｌｅ  Ｅｎｔｒｙ群Ｅ２を記録して残っているＬ０層の外周の空き領域９００と、Ｌ１層外周の空き領域９０１である。
【００７９】
ここで実施の形態３の方法で、空き領域でのＦｉｌｅ  Ｅｎｔｒｙを記録するＮＥ領域と、Ｆｉｌｅ  Ｂｏｄｙを記録するＮＢ領域の比率を算出し、ＮＥ領域はＬ０層の空き領域９００に、ＮＢ領域はＬ１層の空き領域９０１に優先的に配置する。なおＬ０層の空き領域９００が少ない場合は、その比率に応じて適宜Ｌ１層の空き領域９０１にＮＥ領域も配置すればよい。この場合はスパイラル方向に従って空き領域９０１の外周側がＮＥ領域、内周側がＮＢ領域とすることが、物理アドレス連続性とファイルシステムの関係から好ましい。
【００８０】
次に４層ディスクの場合は、図９（ｂ）に示すようにＬ２層、Ｌ３層のＦｉｌｅ  Ｂｏｄｙ記録領域９２２〜９２３が、Ｆｉｌｅ  Ｂｏｄｙ群Ｂ１、Ｂ２で一杯になった場合に、空き領域としては、Ｆｉｌｅ  Ｅｎｔｒｙ群Ｅ１、Ｅ２を記録して残っているＬ１層の空き領域９２１が相当する。
【００８１】
まず、実施の形態３と同様の方法で、空き領域でのＦｉｌｅ  Ｅｎｔｒｙを記録するＮＥ領域と、Ｆｉｌｅ  Ｂｏｄｙを記録するＮＢ領域の比率を算出し、空き領域であるＬ１層の容量から、割り当てられるＮＥ領域の記録容量とＮＢ領域の記録容量とを求める。
【００８２】
次に、空き領域のあるＬ１層のスパイラル方向に従って、Ｌ１層の空き領域の外周から優先的に、求めた記録容量のＮＥ領域を配置する。図の例では、ＮＥ領域はＬ１層の途中（中間）まで割り当てられる。そして、Ｌ１の残りの内周側が空き領域がＮＢ領域となる。
【００８３】
なおＦｉｌｅの数が少なく、Ｆｉｌｅ  Ｅｎｔｒｙ群のサイズが小さい場合には、Ｌ０層にも空き領域が割り当てることができる。この場合には、Ｌ０層、Ｌ１層の順番に比率に応じてＮＥ領域を割り当て、その後にＮＢ領域をＬ１層に割り当てれば良い。
【００８４】
次に８層ディスクの場合は、図９（ｃ）に示すようにＬ４層、Ｌ５層、Ｌ６層、Ｌ７層のＦｉｌｅ  Ｂｏｄｙ記録領域９３４〜９３７が、Ｆｉｌｅ  Ｂｏｄｙ群Ｂ１、Ｂ２、Ｂ３、Ｂ４で一杯になった場合に、空き領域としては、Ｆｉｌｅ  Ｅｎｔｒｙ群Ｅ１、Ｅ２、Ｅ３、Ｅ４を記録して残っているＬ１層、Ｌ２層、Ｌ３層の空き領域９３１、９３２、９３３が相当する。
【００８５】
まず、実施の形態３と同様の方法で、空き領域でのＦｉｌｅ  Ｅｎｔｒｙを記録するＮＥ領域と、Ｆｉｌｅ  Ｂｏｄｙを記録するＮＢ領域の比率を算出し、空き領域であるＬ１層、Ｌ２層、Ｌ３層の容量から、割り当てられるＮＥ領域の記録容量とＮＢ領域の記録容量とを求める。
【００８６】
次に、空き領域のあるＬ１層のスパイラル方向に従って、Ｌ１層の空き領域の内周から優先的に、求めた記録容量のＮＥ領域を配置する。図の例では、ＮＥ領域はＬ１層の途中まで割り当てられる。そして、残りの空き領域がＮＢ領域となる。ＮＢ領域の割り当て順、すなわちＦｉｌｅ  Ｂｏｄｙの記録開始位置は元のＦｉｌｅ  Ｂｏｄｙ記録領域に最も近いＬ３層にする。この状態で書き込みを継続し、新たなＮＢ領域もＦｉｌｅ  Ｂｏｄｙでいっぱいになった時、ＮＥ領域に空き領域が残っている場合には、さらに繰り返して空き領域の分割を行うこともできる。
【００８７】
このように、Ｌ３層、Ｌ２層、Ｌ１層の順番に比率に応じてＮＢ層を割り当て、ＮＥ領域は逆にＬ１層、Ｌ２層の順番で割り当てることにより、空き領域で最も表面から離れたＬ１層から順番に管理データを記録するＮＥ領域を割り当てることができる。
【００８８】
また、ＮＥ領域の割り当てを記録層単位で行い、常にＮＥ領域とＮＢ領域の境界が記録層の端部にくるようにしても良い。求めた境界が記録層の端部ではない場合は、求めた境界の位置からスパイラル方向に進んだ記録層の端部を境界として、ＮＥ領域とＮＢ領域を分割する。このような割当を行うことにより、ＮＢ領域がＦｉｌｅ  Ｂｏｄｙで再度一杯となったとき、ＮＥ領域の空き領域が層で分断されないのでＮＥ領域を再びＮＥ、ＮＢ領域に再分割することも容易となる。
【００８９】
以上のように、２層ＢＤ、３層ＢＤ、４層ＢＤなどのように複数の記録領域が積層された記録媒体において、ファイル本体を読み出すために必須でありディスク表面の欠陥の影響を受けやすい管理データを、表面から離れた記録層Ｌ０から優先的に配置することによって、表面に付着した指紋やスクラッチなどの傷に対して入射光及び反射光の遮断や反射等による信号劣化を低減することができ、高いデータの保全性を確保することができると共に、空き領域１５に無駄なくデータを記録することができ、記録容量に対して記録するデータ量が少なくなることを抑制することができる。
【００９０】
またＢｌｕ−ｒａｙディスクにおいては、そのＬ０層にメディアの種別やブックタイプ、ライトストラテジなどのコントロールデータがＰＩＣ（Ｐｅｒｍａｎｅｎｔ  Ｉｎｆｏｒｍａｔｉｏｎ  ＆  Ｃｏｎｔｒｏｌ  ｄａｔａ  ｚｏｎｅ）として配置されており、ドライブの起動では必ずＬ０からアクセスし、かつＬ０で待機をする。そのためＯＳからエクスプローラでファイルフォルダを開いたときに、その情報を表示するための管理データが入っているファイルエントリのみを連続して読み出すので、管理データをまとめて記録することにより表示が早くなってユーザは快適な操作をすることができる。
【００９１】
さらに２層以上の多層ディスクにおいては、光ビームをピックアップから見て手前の層を通過させて奥の層の記録を行わねばならず、手前の層は透過率を確保し、かつ記録の前後で透過率を等しくする必要があるので、非常に設計自由度がなくなり、そのトレードオフで書き換え回数が犠牲となっている場合が多い。
【００９２】
逆に最も奥にあるＬ０層は透過率の調整は不要で、隣接したディスク基板に反射層や保護層を設けることもできるので安定性設計が容易である。よって書き換え回数は十分に確保される。例えばメディアメーカや、そこで使用する相変化材料の種類によっては、保証可能な書き換え回数の目安として、Ｌ０層が１００００回、Ｌ１層が１０００回と制限されている場合もある。
【００９３】
上記のような書き換え型２層Ｂｌｕ−ｒａｙの問題点にも本発明は適用することができる。例えば、Ｆｉｌｅ  Ｅｎｔｒｙは、ユーザがエクスプローラでファイルフォルダを開くだけの行為でＯＳ（Ｗｉｎｄｏｗｓ（登録商標））からリードコマンドが発生し、Ｆｉｌｅ  Ｅｎｔｒｙの更新がなされる。このように書き換え回数がＦｉｌｅ  Ｂｏｄｙよりも多くなるＦｉｌｅ  ＥｎｔｒｙをＬ０層に優先的に配置し、Ｆｉｌｅ  ＢｏｄｙをＬ１層に優先的に配置することで、ディスク全体の信頼性、特に繰り返し書き換え回数に対する耐性を向上することができ、その効果は極めて高い。
【００９４】
また、上記説明では、ファイルシステムとしてＵＤＦを用いる場合を例に説明したが、データを管理データとデータ本体とに分割して管理する他のファイルシステムに対しても、上記各実施の形態での説明におけるＦｉｌｅ  Ｅｎｔｒｙを管理データとし、Ｆｉｌｅ  Ｂｏｄｙをデータ本体として同様に適応可能である。
【産業上の利用可能性】
【００９５】
本発明は、記録媒体の表面に指紋や傷などの欠陥がある場合であっても、データファイルを読み出すことができ、記録領域が積層された記録媒体に記録されるデータのファイルシステム管理方法と、それを用いた記録媒体等に有用である。
【符号の説明】
【００９６】
１    光ディスク
４    Ｆｉｌｅ  Ｅｎｔｒｙ
５    Ｆｉｌｅ  Ｂｏｄｙ
１５    空き領域
１６    ＮＥ領域
１７    ＮＢ領域
１８    ＮＥ領域
１９    ＮＢ領域
５９ａ    欠陥
１０２    基板
１０３    光透過層
２０１    対物レンズ
２１０    欠陥
９００    空き領域
９０１    空き領域
９０２    Ｆｉｌｅ  Ｂｏｄｙ記録領域
９０３    Ｆｉｌｅ  Ｂｏｄｙ記録領域
９２１    空き領域
９２２    Ｆｉｌｅ  Ｂｏｄｙ記録領域
９２３    Ｆｉｌｅ  Ｂｏｄｙ記録領域
９３１    空き領域
９３２    空き領域
９３３    空き領域
９３４    Ｆｉｌｅ  Ｂｏｄｙ記録領域
９３５    Ｆｉｌｅ  Ｂｏｄｙ記録領域
９３６    Ｆｉｌｅ  Ｂｏｄｙ記録領域
９３７    Ｆｉｌｅ  Ｂｏｄｙ記録領域
【手続補正３】
【補正対象書類名】図面
【補正対象項目名】全図
【補正方法】変更
【補正の内容】
【図１】
2010095393.tif 000013
【図２】
2010095393.tif 000014
【図３】
2010095393.tif 000015
【図４】
2010095393.tif 000016
【図５】
2010095393.tif 000017
【図６】
2010095393.tif 000018
【図７】
2010095393.tif 000019
【図８】
2010095393.tif 000020
【図９】
2010095393.tif 000021
【図１０】
2010095393.tif 000022
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
基板上に積層される複数の記録層により記録領域が形成される記録媒体に、管理データとデータ本体とから構成されるファイルデータを書き込む際に、
前記記録領域をデータ本体記録領域と前記データ本体記録領域より前記基板に近い領域に割り当てられる管理データ記録領域とに任意の割合で２分割し、
前記管理データ記録領域に前記管理データを書き込み、
前記データ本体記録領域に前記データ本体を書き込む
ことを特徴とするファイルシステム管理方法。
【請求項２】
前記データ本体記録領域の記録容量が前記管理データ記録領域の記録容量と同じであることを特徴とする請求項１記載のファイルシステム管理方法。
【請求項３】
前記記録領域が偶数層の前記記録層により形成され、前記データ本体記録領域と前記管理データ記録領域との境界が１つの前記記録層の端部であることを特徴とする請求項２記載のファイルシステム管理方法。
【請求項４】
前記記録領域が奇数層の前記記録層により形成され、前記データ本体記録領域と前記管理データ記録領域との境界が１つの前記記録層の中間点に設けられることを特徴とする請求項２記載のファイルシステム管理方法。
【請求項５】
前記記録層のスパイラル方向を考慮して、前記データ本体記録領域の記録開始位置を前記スパイラル方向の上流側に設定することを特徴とする請求項２記載のファイルシステム管理方法。
【請求項６】
前記記録層のスパイラル方向を考慮して、前記スパイラル方向の上流側に前記管理データ記録領域を割り当てることを特徴とする請求項４記載のファイルシステム管理方法。
【請求項７】
前記データ本体記録領域に書き込む領域が不足し、前記管理データ記録領域に空き領域が残っている場合に、
既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することを特徴とする請求項１記載のファイルシステム管理方法。
【請求項８】
前記データ本体記録領域に書き込む領域が不足し、前記管理データ記録領域に空き領域が残っている場合に、
既に書き込まれた前記管理データおよび前記データ本体のデータ量の比に応じて、前記空き領域を、空き領域用データ本体記録領域と前記管理データ記録領域と連続する領域に割り当てられる空き領域用管理データ記録領域とに分割することを特徴とする請求項２記載のファイルシステム管理方法。
【請求項９】
前記データ本体記録領域に書き込む領域が不足し、前記管理データ記録領域に空き領域が残っている場合に、
既に書き込まれた前記データ本体のデータ量に対する標準偏差を求め、偏差値５０に最も近い前記データ本体のデータ量を選択してデータ本体の基準となるデータ量とし、
既に書き込まれた前記管理データのデータ量に対する標準偏差を求め、偏差値５０に最も近い前記管理データのデータ量を選択して管理データの基準となるデータ量とし、
前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することを特徴とする請求項１記載のファイルシステム管理方法。
【請求項１０】
前記データ本体記録領域に書き込む領域が不足し、前記管理データ記録領域に空き領域が残っている場合に、
既に書き込まれた前記データ本体のデータ量に対する標準偏差を求め、偏差値５０に最も近い前記データ本体のデータ量を選択してデータ本体の基準となるデータ量とし、
既に書き込まれた前記管理データのデータ量に対する標準偏差を求め、偏差値５０に最も近い前記管理データのデータ量を選択して管理データの基準となるデータ量とし、
前記データ本体の基準となるデータ量と前記管理データの基準となるデータ量との比率に応じて、前記空き領域を、空き領域用データ本体記録領域と前記管理データ記録領域と連続する領域に割り当てられる空き領域用管理データ記録領域とに分割することを特徴とする請求項２記載のファイルシステム管理方法。
【請求項１１】
前記空き領域用管理データ記録領域を、前記管理データ記録領域に対して、書き込み方向に連続して設けることを特徴とする請求項８記載のファイルシステム管理方法。
【請求項１２】
前記ファイルデータがＵＤＦファイルシステムで管理されており、前記管理データがＦｉｌｅ  Ｅｎｔｒｙであり、前記データ本体がＦｉｌｅ  Ｂｏｄｙであることを特徴とする請求項２記載のファイルシステム管理方法。
【請求項１３】
前記記録媒体が光ディスクであることを特徴とする請求項２記載のファイルシステム管理方法。
【手続補正３】
【補正対象書類名】明細書
【補正対象項目名】００１５
【補正方法】変更
【補正の内容】
【００１５】
また、前記記録領域が偶数層の前記記録層により形成され、前記データ本体記録領域と前記管理データ記録領域との境界が１つの前記記録層の端部であっても良い。
【手続補正４】
【補正対象書類名】明細書
【補正対象項目名】００１６
【補正方法】変更
【補正の内容】
【００１６】
また、前記記録領域が奇数層の前記記録層により形成され、前記データ本体記録領域と前記管理データ記録領域との境界が１つの前記記録層の中間点に設けられても良い。
【手続補正５】
【補正対象書類名】明細書
【補正対象項目名】００２１
【補正方法】変更
【補正の内容】
【００２１】
また、前記空き領域用管理データ記録領域を、前記管理データ記録領域に対して、書き込み方向に連続して設けても良い。
【手続補正６】
【補正対象書類名】明細書
【補正対象項目名】００８６
【補正方法】変更
【補正の内容】
【００８６】
次に、空き領域のあるＬ１層のスパイラル方向に従って、Ｌ１層の空き領域の外周から優先的に、求めた記録容量のＮＥ領域を配置する。図の例では、ＮＥ領域はＬ１層の途中まで割り当てられる。そして、残りの空き領域がＮＢ領域となる。ＮＢ領域の割り当て順、すなわちＦｉｌｅ  Ｂｏｄｙの記録開始位置は元のＦｉｌｅ  Ｂｏｄｙ記録領域に最も近いＬ３層にする。この状態で書き込みを継続し、新たなＮＢ領域もＦｉｌｅ  Ｂｏｄｙでいっぱいになった時、ＮＥ領域に空き領域が残っている場合には、さらに繰り返して空き領域の分割を行うこともできる。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【国際調査報告】
2010095393.tif 000023
2010095393.tif 000024
2010095393.tif 000025
2010095393.tif 000026